(57)【要約】【課題】迅速に所望の情報の選択を実現可能な映像表示システムおよび通信端末装置を提供する。【解決手段】映像表示装置は、複数種類の第１情報のいずれかを選択するための第１メニューを表示する。映像表示装置は、選択された第１情報に対応する、複数種類の第２情報のいずれかを選択するための第２メニューを、第１メニューに代えて第１表示手段に表示させる表示制御手段を備える。通信端末装置は、第１メニューを表示する。【選択図】図２６
2008072468.tif 000002
【特許請求の範囲】
【請求項１】
通信端末装置と、前記通信端末装置とデータ通信可能な映像表示装置とから構成される映像表示システムであって、
前記映像表示装置は、
複数種類の第１情報のいずれかを選択するための第１メニューを表示する第１表示手段を備え、
前記通信端末装置は、
外部からの指示入力に応じて、前記複数種類の第１情報のいずれかを選択するための選択信号を前記映像表示装置へ送信する第１送信手段を備え、
前記映像表示装置は、
前記第１送信手段により送信された前記選択信号を受信する第１受信手段と、
受信した前記選択信号により選択された第１情報に対応する、複数種類の第２情報のいずれかを選択するための第２メニューを、前記第１メニューに代えて前記第１表示手段に表示させる表示制御手段と、
前記第１メニューを、前記通信端末装置へ送信する第２送信手段とをさらに備え、
前記通信端末装置は、
前記第２送信手段により送信された前記第１メニューを受信する第２受信手段と、
受信した前記第１メニューを表示する第２表示手段とをさらに備える、映像表示システム。
【請求項２】
情報を表示する表示部が設けられた映像表示装置とデータ通信可能な通信端末装置であって、
前記通信端末装置は、
情報を表示する表示手段と、
外部からの指示入力を受付ける第１入力受付手段と、
外部からの指示入力を受付ける第２入力受付手段と、
前記映像表示装置の前記表示部に、複数種類の第１情報のいずれかを選択するための第１メニューが表示されている場合、前記第１入力受付手段が受付けた指示入力に応じて、前記複数種類の第１情報のいずれかを選択するための選択信号を前記映像表示装置へ送信する第１処理と、前記選択信号により選択された第１情報に対応する、複数種類の第２情報のいずれかを選択するための第２メニューが前記映像表示装置の前記表示部に表示され、かつ、前記表示手段に前記第１メニューが表示されている場合、前記第２入力受付手段が受付けた指示入力に応じて、前記複数種類の第１情報のいずれかを選択するための選択信号を前記映像表示装置へ送信する第２処理とを行なう送信手段とを備える、通信端末装置。
【請求項３】
前記表示手段は、前記第２入力受付手段としても動作する、請求項２に記載の通信端末装置。
【発明の詳細な説明】
【技術分野】
【０００１】
本発明は、映像表示システムおよび通信端末装置に関し、特に、メニューの表示制御を行なう映像表示システムおよび通信端末装置に関する。
【背景技術】
【０００２】
近年、宅内の複数種類の装置間において、互いにデータ通信を可能とするための規格（以下、異装置間通信規格ともいう）に準拠した装置が普及しつつある。異装置間通信規格は、たとえば、ＤＬＮＡ（Digital Living Network Alliance）規格である。異装置間通信規格に準拠した装置は、たとえば、テレビ受像機、ＨＤＤ（Hard disk drive）レコーダ、オーディオ装置等である。また、異装置間通信規格に準拠した装置は、一般的に、ルータ等のネットワーク機器を介して、インターネット等のネットワークにも接続可能となっている。
【０００３】
また、インターネット等のインフラを活用した家電機器などが出現しつつある。その状況にしたがって、通信回線事業者は、インターネット・電話・多チャンネル放送の３つを一括で提供するサービス（トリプルプレイサービス）を開始し始めている。例えばＦＴＴＨ（Fiber To The Home）を用いたサービスでは、加入電話（メタル線）の月額料金が不要になり、多チャンネル放送やＶＯＤ（Video On Demand）が利用できるようになる。
【０００４】
さらに、トリプルプレイサービスに移動体通信サービスまでを一括して提供するサービス（クアドロプルプレイサービス）が具現化しつつある。移動体通信サービスが加わることで、ユーザは、携帯電話のような携帯端末を持ち歩けば、いつでもどこでも１つの電話番号/メールアドレスにてインターネット等のネットワークに繋がることが可能になる。また携帯電話を家庭内のリモコンとして利用したり、外出先から宅内にアクセスすることも容易に実現されることが期待されている。
【０００５】
また、ネットワークに接続可能な異装置間通信規格に準拠した装置は、リモコンで操作可能な装置であるのが一般的である。そのため、リモコンで操作可能であり、かつ、ネットワークに接続可能な複数種類の装置を、１つの装置で操作することが要求される。
【０００６】
特開２００２−１３５８１０号公報（特許文献１）には、インターネット等のネットワークに接続可能であって、普及率が非常に高い携帯電話等の通信端末装置を、ネットワークに接続可能な装置を操作するためのリモコンとして使用する技術（以下、第１の先行技術ともいう）が開示されている。
【０００７】
また、特開２００１−２７５１７３号公報（特許文献２）には、操作される機器（以下、被操作機器ともいう）の種類に応じた操作画面を、操作側の機器に表示させ、操作側の機器を、被操作機器を操作するためのリモコンとして使用する技術（以下、第２の先行技術ともいう）が開示されている。
【０００８】
また、特開２００１−１３６５８５号公報（特許文献３）には、テレビ受像機に表示されたＷｅｂページ内の複数のハイパーリンク文字列の配置位置の情報を、リモコンへ送信する技術（以下、第３の先行技術ともいう）が開示されている。
【特許文献１】特開２００２−１３５８１０号公報
【特許文献２】特開２００１−２７５１７３号公報
【特許文献３】特開２００１−１３６５８５号公報
【発明の開示】
【発明が解決しようとする課題】
【０００９】
最近では、第１〜第３の先行技術のように、携帯電話等の通信端末装置と、テレビ等の映像表示装置とを連携させて使用する場面が増えつつある。そして、上記２つの装置を連携させて使用することで、コンテンツサイトから、各種サービスを享受する場面も増えつつある。上記サービスは、たとえば、映像表示装置が、コンテンツサイトからコンテンツを受信するサービスである。この場合、映像表示装置は受信したコンテンツを表示する。
【００１０】
また、最近では、コンテンツサイトが提供するコンテンツの数が膨大な数になりつつある。そのため、コンテンツサイトは、ユーザが所望するコンテンツを探しやすいように、たとえば、複数の階層のメニューを提供するようになってきている。複数の階層のメニューは、たとえば、コンテンツのジャンルの一覧を表示する上位の階層のメニューと、上位の階層のメニューにおいて選択したジャンルに対応するコンテンツの一覧を表示する下位の階層のメニューとから構成される。
【００１１】
上記のような複数の階層のメニューを利用して、所望のコンテンツ（情報）を探す場合、１台の装置において、上位の階層のメニューでジャンルを選択して、下位の階層のメニューを表示させたときに、所望のコンテンツ（情報）が見つからない場合、再度、上位の階層のメニューを表示させる操作を行なうといった無駄な手間をユーザにかけることとなる。したがって、所望のコンテンツ（情報）を、迅速に選択して、表示させることは困難であるという問題点がある。第１〜第３の先行技術では、上記問題点を解決するための技術は開示されていない。
【００１２】
本発明は、上述の問題点を解決するためになされたものであって、その目的は、迅速に所望の情報の選択を実現可能な映像表示システムを提供することである。
【００１３】
本発明の他の目的は、迅速に所望の情報の選択を実現可能な通信端末装置を提供することである。
【課題を解決するための手段】
【００１４】
上述の課題を解決するために、この発明のある局面に従うと、通信端末装置と、通信端末装置とデータ通信可能な映像表示装置とから構成される映像表示システムであって、映像表示装置は、複数種類の第１情報のいずれかを選択するための第１メニューを表示する第１表示手段を備え、通信端末装置は、外部からの指示入力に応じて、複数種類の第１情報のいずれかを選択するための選択信号を映像表示装置へ送信する第１送信手段を備え、映像表示装置は、第１送信手段により送信された選択信号を受信する第１受信手段と、受信した選択信号により選択された第１情報に対応する、複数種類の第２情報のいずれかを選択するための第２メニューを、第１メニューに代えて第１表示手段に表示させる表示制御手段と、第１メニューを、通信端末装置へ送信する第２送信手段とをさらに備え、通信端末装置は、第２送信手段により送信された第１メニューを受信する第２受信手段と、受信した第１メニューを表示する第２表示手段とをさらに備える。
【００１５】
この発明の他の局面に従うと、情報を表示する表示部が設けられた映像表示装置とデータ通信可能な通信端末装置であって、通信端末装置は、情報を表示する表示手段と、外部からの指示入力を受付ける第１入力受付手段と、外部からの指示入力を受付ける第２入力受付手段と、映像表示装置の表示部に、複数種類の第１情報のいずれかを選択するための第１メニューが表示されている場合、第１入力受付手段が受付けた指示入力に応じて、複数種類の第１情報のいずれかを選択するための選択信号を映像表示装置へ送信する第１処理と、選択信号により選択された第１情報に対応する、複数種類の第２情報のいずれかを選択するための第２メニューが映像表示装置の表示部に表示され、かつ、表示手段に第１メニューが表示されている場合、第２入力受付手段が受付けた指示入力に応じて、複数種類の第１情報のいずれかを選択するための選択信号を映像表示装置へ送信する第２処理とを行なう送信手段とを備える。
【００１６】
好ましくは、表示手段は、第２入力受付手段としても動作する。
【発明の効果】
【００１７】
本発明に係る映像表示システムは、通信端末装置と映像表示装置とから構成される。映像表示装置は、複数種類の第１情報のいずれかを選択するための第１メニューを表示する第１表示手段を備える。映像表示装置は、選択された第１情報に対応する、複数種類の第２情報のいずれかを選択するための第２メニューを、第１メニューに代えて第１表示手段に表示させる表示制御手段をさらに備える。通信端末装置は、第１メニューを表示する第２表示手段とをさらに備える。
【００１８】
したがって、複数種類の第１情報のいずれかを選択するための第１メニューと、選択された第１情報に対応する、複数種類の第２情報のいずれかを選択するための第２メニューとをそれぞれ、異なる複数の装置で表示させるので、迅速に所望の情報の選択を実現できるという効果を奏する。
【００１９】
本発明に係る通信端末装置は、映像表示装置の表示部に、複数種類の第１情報のいずれかを選択するための第１メニューが表示されている場合、第１入力受付手段が受付けた指示入力に応じて、複数種類の第１情報のいずれかを選択するための選択信号を映像表示装置へ送信する第１処理と、選択された第１情報に対応する、複数種類の第２情報のいずれかを選択するための第２メニューが映像表示装置の表示部に表示され、かつ、表示手段に第１メニューが表示されている場合、第２入力受付手段が受付けた指示入力に応じて、複数種類の第１情報のいずれかを選択するための選択信号を映像表示装置へ送信する第２処理とを行なう送信手段とを備える。
【００２０】
したがって、複数種類の第１情報のいずれかを選択するための第１メニューと、複数種類の第２情報のいずれかを選択するための第２メニューとをそれぞれ、異なる複数の装置で表示させる。また、第１メニューおよび第２メニューに対する操作を、異なる複数の入力受付手段で行なうことができる。その結果、迅速に所望の情報の選択を実現できるという効果を奏する。
【発明を実施するための最良の形態】
【００２１】
以下、図面を参照しつつ、本発明の実施の形態について説明する。以下の説明では、同一の部品には同一の符号を付してある。それらの名称および機能も同じである。したがって、それらについての詳細な説明は繰り返さない。
【００２２】
本発明において取り扱うコンテンツとは、映像、音声、画像などのデジタルデータおよびそれらに関連する関連情報などを意図している。当然のことながら、上記コンテンツと同様の扱い方をされるものであれば、コンテンツはデジタルデータに限定されるものではない。また、コンテンツが、テレビ放送、インターネット放送、携帯電話網などのネットワークを介して提供されるならば、一つのコンテンツが複数のネットワークから提供されることも可能である。
【００２３】
＜第１の実施の形態＞
（システムの構成）
図１は、本実施の形態におけるネットワークシステム１０００の構成を示す図である。図１を参照して、ネットワークシステム１０００には、ホームネットワーク５０１が含まれる。
【００２４】
ホームネットワーク５０１は、たとえば、宅内に設けられたネットワークである。宅内とは、たとえば、ユーザの自宅内、会社内等である。ホームネットワーク５０１には、通信端末装置５００と、映像表示装置６００と、通信部５０とが含まれる。
【００２５】
通信端末装置５００は、ＰＤＡ（Personal Digital Assistance）である。また、通信端末装置５００は、電話の機能を有する。なお、通信端末装置５００は、電話の機能を有していなくてもよい。また、通信端末装置５００は、ＰＤＡに限定されることなく、通信機能を備え、携帯可能な装置であればどのような装置（たとえば、ＰＣ（Personal Computer）、携帯電話）でもよい。
【００２６】
通信端末装置５００は、電話網６０と、無線によりデータ通信可能である。電話網６０は、たとえば、携帯電話のための電話網である。なお、通信端末装置５００は、電話網６０とデータ通信をした場合、データ通信時に使用したデータ量に応じたパケット料金が発生する。
【００２７】
映像表示装置６００は、液晶テレビである。なお、映像表示装置６００は、液晶テレビに限定されることなく、画像を表示可能な装置であればどのような装置であってもよい。映像表示装置６００は、たとえば、プラズマテレビであってもよい。また、映像表示装置６００は、画像を表示するための表示装置と、当該表示装置に表示させるための画像データを送信する画像データ送信装置とから構成される装置であってもよい。画像データ送信装置は、たとえば、ＳＴＢ（Set Top Box）、ＨＤＤレコーダ、ＤＶＤ（Digital Versatile Disc）レコーダ等である。
【００２８】
通信端末装置５００と、映像表示装置６００とは、無線または有線でデータ通信を行なう。すなわち、通信端末装置５００と、映像表示装置６００とから映像表示システムが構成される。
【００２９】
通信部５０は、通信端末装置５００、映像表示装置６００およびネットワーク７０の各々と、データ通信を行なう機能を有する。ネットワーク７０は、インターネットなどの外部のネットワークである。
【００３０】
通信部５０は、無線ＬＡＮの規格である、ＩＥＥＥ８０２．１１ａ、ＩＥＥＥ８０２．１１ｂおよびＩＥＥＥ８０２．１１ｇのいずれかに基づく無線技術を利用して、複数の機器と同時にデータ通信を行なう機能を有する。なお、無線技術は、ＩＥＥＥ８０２．１１ａ、ＩＥＥＥ８０２．１１ｂおよびＩＥＥＥ８０２．１１ｇのいずれかに基づく技術に限定されることはなく、その他の無線技術であってもよい。したがって、通信部５０は、通信端末装置５００、映像表示装置６００およびネットワーク７０の各々と、無線でデータ通信を行なうことが可能である。
【００３１】
また、通信部５０は、さらに、イーサネット（登録商標）を利用した通信用インターフェースを有し、ホームネットワーク５０１内の装置がネットワーク７０への接続要求を出した場合、機器が有するアドレスをネットワーク７０におけるアドレスに変換するＮＡＴ（Network Address Translation）機能を含むルータ機能を持つ。したがって、通信部５０は、たとえば、ＬＡＮケーブルを介して、通信端末装置５００、映像表示装置６００およびネットワーク７０の各々とデータ通信を行なうことができる。すなわち、通信部５０は、通信端末装置５００、映像表示装置６００およびネットワーク７０の各々と、有線でデータ通信を行なうことが可能である。
【００３２】
また、ネットワーク７０は、電話網６０と、無線または有線によりデータ通信可能である。したがって、通信端末装置５００は、電話網６０を介して、ネットワーク７０とデータ通信可能である。
【００３３】
ネットワークシステム１０００には、さらに、サービスサーバ８００Ａと、検索サーバ８００Ｓと、Ｗｅｂサーバ８００Ｗとが含まれる。
【００３４】
サービスサーバ８００Ａは、コンテンツおよび、コンテンツに関連する情報等を提供するサーバである。コンテンツは、たとえば、動画像、音楽データ等である。コンテンツが、たとえば、番組の動画像である場合、コンテンツに関連する情報とは、たとえば、番組情報である。サービスサーバ８００Ａは、ＰＣである。なお、サービスサーバ８００Ａは、ＰＣに限定されることなく、動画像等のコンテンツ、音楽データ等のコンテンツ、コンテンツに関連する情報等を提供する機能を有した装置であればどのような装置であってもよい。
【００３５】
サービスサーバ８００Ａは、現在の日時から、所定期間（たとえば、２４時間）前の日時までの期間における、全てのチャンネルの全ての番組を録画し、番組を録画した録画データを記憶している。なお、サービスサーバ８００Ａは、現在の日時から、所定期間（たとえば、２４時間）経過後の録画データを自動的に削除する。したがって、サービスサーバ８００Ａには、現在の日時から、所定期間前の日時までの期間における、全てのチャンネルの全ての番組の録画データが記憶されている。また、サービスサーバ８００Ａは、放送される番組の録画データとは別に、装置からの配信要求に応じて配信する、映画などの映像コンテンツを記憶している。なお、サービスサーバ８００Ａは、録画データの配信要求があれば、録画データの配信要求を行なった装置へ、配信要求された録画データを、送信またはストリーミング配信する。
【００３６】
また、サービスサーバ８００Ａは、現在、放送中の番組およびこれから放送予定の動画像データを所定期間（たとえば、２４時間）分予め記憶している。そして、現在、放送中の番組の動画像データの配信要求があれば、動画像データの配信要求を行なった装置へ、配信要求された動画像データをストリーミング配信する。
【００３７】
検索サーバ８００Ｓは、ネットワーク７０に接続された端末装置から、検索情報としてのキーワードを受信すると、受信したキーワードに関連する情報のＷｅｂページのＵＲＬ（Uniform Resource Locator）を検索するサーバである。検索サーバ８００Ｓは、ＰＣである。なお、検索サーバ８００Ｓは、ＰＣに限定されることなく、ネットワーク７０に接続された端末装置からキーワードを受信した場合、受信したキーワードに関連する情報のＷｅｂページのＵＲＬ（Uniform Resource Locator）を検索する機能を有する装置であればどのような装置であってもよい。
【００３８】
Ｗｅｂサーバ８００Ｗは、複数種類の情報の各々に対応する複数のＷｅｂページのデータを提供するサーバである。Ｗｅｂサーバ８００Ｗは、たとえば、映画に関連する情報に対応する複数のＷｅｂページのデータを提供する。Ｗｅｂサーバ８００Ｗは、ＰＣである。なお、Ｗｅｂサーバ８００Ｗは、ＰＣに限定されることなく、複数種類の情報の各々に対応する複数のＷｅｂページのデータを提供する機能を有する装置であればどのような装置であってもよい。
【００３９】
サービスサーバ８００Ａ、検索サーバ８００ＳおよびＷｅｂサーバ８００Ｗの各々は、ネットワーク７０と、無線または有線でデータ通信を行なう。
【００４０】
本実施の形態では、通信部５０は、通信端末装置５００、映像表示装置６００およびネットワーク７０の各々と、高速にデータ通信が可能であるとする。通信部５０は、通信端末装置５００、映像表示装置６００およびネットワーク７０の各々と、たとえば、最大で１００Ｍｂｐｓ（Mega bit per second）の速度でデータ通信が可能であるとする。
【００４１】
また、ネットワーク７０は、通信部５０、電話網６０、サービスサーバ８００Ａ、検索サーバ８００ＳおよびＷｅｂサーバ８００Ｗの各々と、高速にデータ通信が可能であるとする。ネットワーク７０は、通信部５０、電話網６０、サービスサーバ８００Ａ、検索サーバ８００ＳおよびＷｅｂサーバ８００Ｗの各々と、たとえば、最大で１００Ｍｂｐｓの速度でデータ通信が可能であるとする。したがって、たとえば、映像表示装置６００とネットワーク７０とのデータ通信の最大速度は１００Ｍｂｐｓであるとする。また、たとえば、通信端末装置５００とネットワーク７０とのデータ通信の最大速度は１００Ｍｂｐｓであるとする。
【００４２】
なお、通信端末装置５００と電話網６０とのデータ通信の速度は、通信端末装置５００とネットワーク７０とのデータ通信の速度よりも遅いとする。通信端末装置５００と電話網６０とのデータ通信の最大速度は、たとえば、２５６ｋｂｐｓであるとする。
【００４３】
また、通信端末装置５００と映像表示装置６００とのデータ通信の速度は、通信端末装置５００と電話網６０とのデータ通信の速度よりも、十分に速いとする。通信端末装置５００と映像表示装置６００とのデータ通信の最大速度は、たとえば、４Ｍｂｐｓであるとする。
（通信端末装置）
次に、通信端末装置５００について詳細に説明する。
【００４４】
図２は、通信端末装置５００の外観を正面から示した図である。図２を参照して、通信端末装置５００は、表示部５３０と、音声出力部５７０と、ＬＥＤ５７６と、入力部５４０とを備える。
【００４５】
表示部５３０は、文字や画像等を表示する機能を有する。表示部５３０は、ＬＣＤパネル（Liquid Crystal Display Panel）、ＦＥＤパネル（Field Emission Display Panel）および有機ＥＬディスプレイパネル（Organic Electro luminescence Display Panel）のいずれかを使用した装置である。なお、表示部５３０は、上記以外の表示方式のパネルを使用した装置であってもよい。
【００４６】
表示部５３０の解像度は、横４８０（ドット）×縦６４０（ドット）である。なお、表示部５３０の解像度は、横４８０（ドット）×縦６４０（ドット）に限定されることなく、他の解像度（たとえば、横２４０（ドット）×縦３２０（ドット））であってもよい。
【００４７】
また、表示部５３０は、ユーザが、画面に直接触れることで、情報入力可能なタッチパネル機能を有する。表示部５３０は、ユーザが画面にタッチした位置情報を、後述する制御部５１０へ送信する。制御部５１０は、受信した位置情報に基づいて、所定の処理を行なう。
【００４８】
音声出力部５７０は、電話の音声を出力する機能を有する。音声出力部５７０には、音声を出力するスピーカが含まれる。音声出力部５７０は、後述する制御部５１０から受信した音声データに基づく音声をスピーカから出力する。
【００４９】
ＬＥＤ５７６は、通信端末装置５００で行なわれる処理に応じて、光による報知を行なう。たとえば、ＬＥＤ５７６は、電話の着信があった場合、光を点滅させる。
【００５０】
入力部５４０は、ボタン群５４１を含む。ボタン群５４１は、方向ボタン５４１Ａ，５４１Ｂ，５４１Ｃ，５４１Ｄと、決定ボタン５４１Ｅとを含む。方向ボタン５４１Ａ，５４１Ｂ，５４１Ｃ，５４１Ｄは、ユーザによる短時間（たとえば、１秒未満）の押下操作（以下、短押操作ともいう）により、表示部５３０に画像が表示されている場合、画像内の移動させる対象となる物（たとえば、カーソル等）を上下左右に移動させるためのボタンである。具体的には、短押操作があった、方向ボタン５４１Ａ，５４１Ｂ，５４１Ｃ，５４１Ｄは、たとえば、カーソルを、それぞれ、上，下，左，右に移動させるためのボタンである。また、方向ボタン５４１Ａ，５４１Ｂ，５４１Ｃ，５４１Ｄは、ユーザによる長時間（たとえば、一秒以上）の押下操作（以下、長押操作ともいう）により、たとえば画面をそれぞれ、上，下，左，右に画面スクロールすることも可能である。
【００５１】
決定ボタン５４１Ｅは、短押操作により、たとえば、方向ボタン５４１Ａ，５４１Ｂ，５４１Ｃ，５４１Ｄの短押操作により選択された項目等を決定するためのボタンである。
【００５２】
入力部５４０は、さらに、機能ボタン５４２Ａ，５４２Ｂ，５４３Ａ，５４３Ｂを含む。機能ボタン５４２Ａ，５４２Ｂの各々は、短押操作により、たとえば、ユーザにより予め設定されたプログラム等を起動させるためのボタンである。
【００５３】
機能ボタン５４３Ａは、通信端末装置５００に電話がかかってきた場合、短押操作により通話開始を行なうためのボタンである。機能ボタン５４３Ｂは、通信端末装置５００が通話中である場合、短押操作により通話を終了させるためのボタンである。また、機能ボタン５４３Ｂは、ユーザによる長時間（たとえば、１秒以上）の押下操作（以下、長押操作ともいう）により、通信端末装置５００の電源のオンとオフとの切替えを行なうためのボタンである。
【００５４】
入力部５４０は、入力部５４０に含まれる複数のボタンのうち、短押操作または長押操作されたボタンに対応するボタン信号を、後述する制御部５１０へ送信する。すなわち、入力部５４０は、ユーザが通信端末装置５００を操作するためのインターフェースである。以下においては、ユーザによる、入力部５４０の操作または表示部５３０に対するタッチ操作を、インターフェース操作Ｍともいう。
【００５５】
通信端末装置５００は、さらに、音声入力部５７４を備える。音声入力部５７４は、通話のときに、音声を入力する機能を有する。音声入力部５７４には、音声を入力するマイクが含まれる。音声入力部５７４は、マイクにより取得した音声を音声データに変換して、音声データを、通信端末装置５００内の後述する制御部５１０へ送信する。
【００５６】
図３は、通信端末装置５００の外観を左側面から示した図である。図３を参照して、通信端末装置５００は、記録媒体挿入部５５０Ａを備える。記録媒体挿入部５５０Ａは、通信端末装置５００に後述する記録媒体を挿入する部分である。
【００５７】
図４は、通信端末装置５００の外観を背面から示した図である。図４を参照して、通信端末装置５００は、さらに、音声出力部５７２と、撮像部５７８とを備える。音声出力部５７２は、後述する制御部５１０で行なわれる処理に対応した音声を出力する機能を有する。音声出力部５７２には、音声を出力するスピーカが含まれる。音声出力部５７２は、後述する制御部５１０から受信した音声データに基づく音声をスピーカから出力する。
【００５８】
撮像部５７８は、撮像対象となる被写体を撮像する撮像処理を行なう機能を有する。撮像部５７８は、図示しない、撮像レンズ、受光部およびカラーフィルタ部とを含む。受光部は、入力された光を電気信号に変換する機能を有する。受光部は、複数の受光素子から構成される。受光素子は、たとえば、ＣＣＤ（Charge Coupled Device）イメージセンサまたはＣＭＯＳ（Complementary Metal Oxide Semiconductor）イメージセンサ等を使用した素子である。
【００５９】
カラーフィルタ部は、複数のカラーフィルタから構成される。カラーフィルタは、Ｒ、Ｇ、Ｂの各々に対応したフィルタである。複数のカラーフィルタは、複数の受光素子にそれぞれ対応して設けられる。
【００６０】
撮像処理では以下の処理が行なわれる。まず、撮像部５７８が、撮像対象となる被写体に反射されて撮像レンズに入射した光を、カラーフィルタ部を介して、受光部に入力させる。受光部は入力された光を電気信号に変換する。そして、撮像部５７８は、変換した電気信号をデジタルデータ（以下、撮像画像データともいう）に変換する。
【００６１】
図５は、通信端末装置５００の内部構成を示したブロック図である。なお、図５には、説明のために、記録媒体５５５も示している。記録媒体５５５には、後述するプログラム１８０が記録されている。すなわち、プログラム１８０は、媒体等に記録されてプログラム製品として流通される。また、記録媒体５５５もプログラム製品として流通される。
【００６２】
図５を参照して、通信端末装置５００は、さらに、制御部５１０と、一時記憶部５２２と、記憶部５２０とを備える。
【００６３】
記憶部５２０は、データを不揮発的に記憶する機能を有する。記憶部５２０は、制御部５１０によってデータアクセスされる。記憶部５２０は、電源を供給されなくてもデータを不揮発的に保持可能な媒体（たとえば、フラッシュメモリ）である。記憶部５２０には、プログラム１８０、後述する録画データ、その他の各種データ等が記憶されている。プログラム１８０は、後述する、リモコンプログラムを含む。
【００６４】
制御部５１０は、記憶部５２０に記憶されたプログラム１８０に従って、通信端末装置５００内の各部に対する各種処理や、演算処理等を行なう機能を有する。制御部５１０は、マイクロプロセッサ（Microprocessor）、ＦＰＧＡ（Field Programmable Gate Array）、ＡＳＩＣ（Application Specific Integrated Circuit）、ＤＳＰ（Digital Signal Processor）およびその他の演算機能を有する回路のいずれであってもよい。
【００６５】
一時記憶部５２２は、制御部５１０によってデータアクセスされ、一時的にデータを記憶するワークメモリとして使用される。一時記憶部５２２は、ＲＡＭ（Random Access Memory）、ＳＲＡＭ（Static Random Access Memory）、ＤＲＡＭ（Dynamic Random Access Memory）、ＳＤＲＡＭ（Synchronous DRAM）、ＤＤＲ−ＳＤＲＡＭ（Double Data Rate SDRAM）、ＲＤＲＡＭ（Rambus Dynamic Random Access Memory（登録商標））、Ｄｉｒｅｃｔ−ＲＤＲＡＭ（Direct Rambus Dynamic Random Access Memory（登録商標））、その他、データを揮発的に記憶保持可能な構成を有する回路のいずれであってもよい。
【００６６】
通信端末装置５００は、さらに、アンテナ５０２と、チューナ５０５と、データ処理部５０７とを備える。
【００６７】
アンテナ５０２は、チューナ５０５と接続されている。チューナ５０５は、制御部５１０により指示された周波数の放送信号を、アンテナ５０２を介して受信する。チューナ５０５は、ディジタル放送およびアナログ放送に基づく放送信号を受信する機能を有する。
【００６８】
放送信号は、画像データ、音声データ、テキストデータ、ＥＰＧ（Electric Program Guide）データを含む。なお、放送信号が、ディジタル放送に基づく信号である場合、放送信号は、さらに、ＢＭＬ（Broadcast Markup Language）データ等が含まれる。ＥＰＧデータは、複数の番組情報を示すデータである。ＢＭＬデータは、画像データ、音声データおよびテキストデータの各々の配置位置や、動作などの制御を行なうためのデータである。チューナ５０５は、受信した放送信号を、データ処理部５０７へ送信する。
【００６９】
データ処理部５０７は、受信した放送信号を復調し、復調データとする。受信した放送信号が、アナログ放送に基づく信号である場合、データ処理部５０７は、以下の処理を行なう。まず、データ処理部５０７は、復調データを、デコード処理し、画像データ、音声データを得るとともに、放送信号の垂直帰線区間（ＶＢＩ：Vertical Blanking Interval）から、テキストデータ、ＥＰＧデータを得る。
【００７０】
そして、データ処理部５０７は、制御部５１０から、表示部５３０に画像を表示させるための表示指示を受信すると、画像データを、後述するＶＤＰ（Video Display Processor）５３２へ送信する。ＶＤＰ５３２は、画像データを受信すると、表示部５３０に画像データに基づく画像（動画像または静止画像）を表示させる。
【００７１】
また、データ処理部５０７は、制御部５１０から、録画処理を行なうための録画指示を受信すると、画像データおよび音声データを圧縮して、録画データとして、記憶部５２０に記憶させる。この場合の録画データを、以下においては、コンテンツともいう。録画データは、ＭＰＥＧ（Moving Picture Experts Group）４形式で圧縮されたデータである。なお、録画データは、ＭＰＥＧ４形式で圧縮されたデータに限定されることなく、他の形式で圧縮されたデータであってもよい。ここで、他の形式とは、たとえば、ＭＰＥＧ１、ＭＰＥＧ２、Ｈ．２６４等の形式である。
【００７２】
また、受信した放送信号が、ディジタル放送に基づく信号である場合、データ処理部５０７は、以下の処理を行なう。まず、データ処理部５０７は、復調データを、ディジタル放送のプロトコルに基づいてデコード処理し、デコードデータにする。デコードデータには、画像データ、音声データ、テキストデータ、ＥＰＧデータ、ＢＭＬデータが含まれる。デコードデータに含まれる、画像データおよび音声データは、ＭＰＥＧ４形式で圧縮されたデータである。なお、デコードデータに含まれる、画像データおよび音声データは、ＭＰＥＧ４形式で圧縮されたデータに限定されることなく、他の形式で圧縮されたデータであってもよい。ここで、他の形式とは、たとえば、ＭＰＥＧ１、ＭＰＥＧ２、Ｈ．２６４等の形式である。
【００７３】
そして、データ処理部５０７は、制御部５１０から、表示部５３０に画像を表示させるための表示指示を受信すると、表示指示により指定されたチャンネルのデコードデータに含まれる画像データを、後述するＶＤＰ５３２へ送信する。ＶＤＰ５３２は、画像データを受信すると、表示部５３０に画像データに基づく画像（動画像または静止画像）を表示させる。
【００７４】
また、データ処理部５０７は、制御部５１０から、録画処理を行なうための録画指示を受信すると、録画指示により指定されたチャンネルのデコードデータを、録画データとして、記憶部５２０に記憶させる。この場合の録画データを、以下においては、コンテンツともいう。この場合、録画データには、画像データ、音声データ、テキストデータおよびＢＭＬデータが含まれる。
【００７５】
通信端末装置５００は、さらに、ＶＤＰ５３２と、ＶＲＡＭ（Video Random Access Memory）５３６とを備える。
【００７６】
ＶＲＡＭ５３６は、画像データを一時的に記憶する機能を有する。
制御部５１０は、記憶部５２０に記憶されたプログラム１８０に従って、ＶＤＰ５３２に対し、描画指示を出す。描画指示とは、画像を生成し、当該画像を表示部５３０に表示させる指示である。
【００７７】
ＶＤＰ５３２は表示部５３０と接続されている。ＶＤＰ５３２は、制御部５１０からの描画指示に応じて、記憶部５２０内の後述するプログラム１８０からフォントデータ、図形データ等を読出し、ＶＲＡＭ５３６を利用して画像を生成する。そして、ＶＤＰ５３２は、ＶＲＡＭ５３６に記憶された画像データを読出し、表示部５３０に、当該画像データに基づく画像を表示させる。
【００７８】
通信端末装置５００は、さらに、入力部５４０と、記録媒体アクセス部５５０を備える。
【００７９】
制御部５１０は、入力部５４０に含まれる、前述した複数のボタンのうち、短押操作または長押操作があったボタンに対応するボタン信号を、入力部５４０から受信する。制御部５１０は、受信したボタン信号に応じた処理を行なう。
【００８０】
記録媒体アクセス部５５０は、記録媒体５５５が前述の記録媒体挿入部５５０Ａから通信端末装置５００に挿入（装着）されると、記録媒体５５５にデータアクセス可能となる。これにより、記録媒体アクセス部５５０は、プログラム１８０が記録された記録媒体５５５から、プログラム１８０を読出すことが可能となる。
【００８１】
記録媒体５５５に記憶されているプログラム１８０は、制御部５１０のインストール処理により、記録媒体アクセス部５５０により読み出され、制御部５１０が、プログラム１８０を、記憶部５２０に記憶させる。このインストール処理用プログラムは、予め、記憶部５２０に格納されており、インストール処理は、制御部５１０が、インストール処理用プログラムに基づいて行なう。
【００８２】
なお、記憶部５２０には、プログラム１８０がインストールされていなくてもよい。この場合、制御部５１０は、記録媒体アクセス部５５０を介して、記録媒体５５５に記憶されたプログラム１８０を読み出して、プログラム１８０に基づいた所定の処理を行なう。記録媒体５５５には、さらに、コンテンツデータ等も記録されている。コンテンツデータは、たとえば、音楽データ、動画像データ等である。
【００８３】
記録媒体５５５は、フロッピー（登録商標）ディスク、ＣＦ(Compact Flash（登録商標）) カード、ＳＭ（Smart Media（登録商標））、ＭＭＣ（Multi Media Card（登録商標））、ＳＤ（Secure Digital（登録商標））メモリーカード、メモリースティック（登録商標）、ｘＤピクチャーカード（登録商標）および上記以外の不揮発性メモリのいずれであってもよい。
【００８４】
通信端末装置５００は、さらに、通信部５６０と、通信部５６２とを備える。
通信部５６０は、制御部５１０とデータの送受信を行なう。また、通信部５６０は、映像表示装置６００と有線または無線で、データの送受信を行なう機能を有する。
【００８５】
通信部５６０は、ＵＳＢ（Universal Serial Bus）１．１またはＵＳＢ２．０の規格に基づく、シリアル転送を行なう通信用インターフェースの機能を有する。なお、シリアル転送を行なう通信用インターフェースの規格は、ＵＳＢ１．１またはＵＳＢ２．０に限定されることなく他の規格であってもよい。
【００８６】
なお、通信部５６０は、パラレル転送を行なう通信用インターフェースの機能を有していてもよい。パラレル転送を行なう通信用インターフェースは、たとえば、セントロニクス準拠の規格またはＩＥＥＥ１２８４（Institute of Electrical and Electronic Engineers 1284）の規格に準拠したインターフェースである。また、通信部５６０は、ＩＥＥＥ１３９４またはＳＣＳＩ規格に基づく通信用インターフェースの機能を有していてもよい。
【００８７】
また、通信部５６０は、さらに、無線データ通信機能を有する。無線データ通信機能は、Bluetooth（登録商標）を使用して、無線でデータ通信を行なう機能を有する。なお、無線データ通信は、Bluetooth（登録商標）を使用した方式に限定されることなく、たとえば、赤外線等を使用した他の通信方式であってもよい。通信部５６０は、制御部５１０からの制御指示に応じて、映像表示装置６００と無線でデータ通信を行なう。
【００８８】
通信部５６２は、制御部５１０と、データの送受信を行なう。通信部５６２は、無線ＬＡＮの規格である、ＩＥＥＥ８０２．１１ａ、ＩＥＥＥ８０２．１１ｂおよびＩＥＥＥ８０２．１１ｇのいずれかに基づく無線技術を利用してデータ通信を行なう機能を有する。なお、無線技術は、ＩＥＥＥ８０２．１１ａ、ＩＥＥＥ８０２．１１ｂおよびＩＥＥＥ８０２．１１ｇのいずれかに基づく技術に限定されることはなく、その他の無線技術であってもよい。したがって、通信部５６２は、無線により、通信部５０とデータ通信を行なうことができる。
【００８９】
また、通信部５６２は、さらに、イーサネット（登録商標）を利用した通信用インターフェースの機能を有する。したがって、通信部５６２は、たとえば、ＬＡＮケーブルを介して、通信部５０とデータ通信を行なうことができる。
【００９０】
したがって、本実施の形態における通信端末装置５００は、ネットワーク７０から、通信部５０および通信部５６２を介して、プログラムのダウンロード処理を行ない、記憶部５２０に格納することもできる。この場合、当該ダウンロードしたプログラムは、プログラム１８０である。
【００９１】
制御部５１０は、ネットワーク７０からダウンロードしたプログラム（プログラム１８０）に従って、所定の処理を行なう。このダウンロード用プログラムは、予め、記憶部５２０に格納されており、ダウンロード処理は、制御部５１０が、ダウンロード用プログラムに基づいて行なう。
【００９２】
通信端末装置５００は、さらに、アンテナ５６４と、通信部５６６とを備える。
アンテナ５６４は、通信部５６６と接続されている。通信部５６６は、アンテナ５６４を利用して、無線通信信号を送受信する機能を有する。通信部５６６は、制御部５１０により指示された周波数の無線通信信号を、アンテナ５６４を介して受信する。無線通信信号は、音声データ、文字データおよび画像データ等を含む信号である。
【００９３】
通信部５６６は、アンテナ５６４を利用して、無線通信信号により、図示しない最寄の基地局と通信を行なう。最寄の基地局は、電話網６０と通信を行なうことができる。したがって、通信部５６６は、アンテナ５６４を利用して、無線通信信号により、最寄の基地局を介して、電話網６０と通信を行なう。通信部５６６は、無線通信信号を受信した場合、当該無線通信信号を復調し、復調した無線通信信号に基づくデータを、制御部５１０へ送信する。また、通信部５６６は、無線通信信号を送信する場合、制御部５１０からデータ（たとえば、音声データ）を受信し、当該データを、所定のプロトコルに基づいて、無線通信信号に変換する。そして、通信部５６６は、アンテナ５６４を利用して、変換した無線通信信号を、図示しない最寄の基地局を介して、電話網６０へ送信する。
【００９４】
通信部５６６は、最寄の基地局と通信を行なうことで、基地局の位置を示す情報（以下、基地局位置情報ともいう）も取得可能である。通信部５６６は、制御部５１０からの制御指示に応じて、取得した基地局位置情報を、制御部５１０へ送信する。制御部５１０は、受信した基地局位置情報に基づいて、通信端末装置５００の位置を大まかに把握することができる。
【００９５】
また、通信部５６６は、ＧＰＳ（Global Positioning System）機能を有する。ＧＰＳ機能とは、人口衛星と通信して、通信端末装置５００の位置（緯度、経度、高度等に基づく位置）の情報（以下、ＧＰＳ位置情報ともいう）を取得する機能である。通信部５６６は、制御部５１０からの制御指示に応じて、ＧＰＳ位置情報を取得し、制御部５１０へ送信する。
【００９６】
制御部５１０は、前述した音声出力部５７０，５７２、音声入力部５７４とデータ通信する。
【００９７】
制御部５１０が、音声データを音声出力部５７０へ送信すると、音声出力部５７０は、制御部５１０から受信した音声データに基づく音声をスピーカから出力する。制御部５１０が、音声データを音声出力部５７２へ送信すると、音声出力部５７２は、制御部５１０から受信した音声データに基づく音声をスピーカから出力する。
【００９８】
ユーザが音声入力部５７４に含まれるマイクに対して音声を発すると、音声入力部５７４は、マイクにより取得した音声を音声データに変換して、音声データを、制御部５１０へ送信する。
【００９９】
制御部５１０は、前述したＬＥＤ５７６、撮像部５７８とデータ通信する。ＬＥＤ５７６は、制御部５１０からの制御指示に基づいて、光を発する。
【０１００】
撮像部５７８は、制御部５１０からの制御指示に基づいて、前述の撮像処理を行ない、撮像画像データを制御部５１０へ送信する。制御部５１０は、撮像画像データを受信すると、撮像画像データを、一時記憶部５２２、記憶部５２０および記録媒体５５５のいずれかに記憶させる。
【０１０１】
通信端末装置５００は、さらに、振動部５７９を備える。振動部５７９は、制御部５１０からの制御指示に基づいて、通信端末装置５００を振動させる機能を有する。振動部５７９は、たとえば、電話の着信、電子メールの受信時に、制御部５１０からの制御指示に基づいて、通信端末装置５００を振動させる。
【０１０２】
通信端末装置５００は、さらに、ＲＦＩＤ５８０を備える。ＲＦＩＤ５８０は、たとえば、FeliCa（登録商標）などのセキュリティ機能をもったＲＦＩＤ（Radio Frequency Identification）に基づく集積回路で、非接触で図示しない読み取り端末と通信を行う。また、ＲＦＩＤ５８０は、制御部５１０からの制御指示に基づいて、端末ＩＤなどのデータを出力する。
（映像表示装置）
次に、映像表示装置６００について詳細に説明する。
【０１０３】
図６は、映像表示装置６００の外観を正面から示した図である。図６を参照して、映像表示装置６００は、表示部６３０と、音声出力部６７０とを備える。
【０１０４】
表示部６３０は、文字や画像等を表示する機能を有する。表示部６３０は、ＬＣＤパネル、ＣＲＴ（Cathode Ray Tube）、ＦＥＤパネル、ＰＤＰ（Plasma Display Panel）および有機ＥＬディスプレイパネルのいずれかを使用した装置である。なお、表示部６３０は、上記以外の表示方式のパネルを使用した装置であってもよい。表示部６３０が表示可能な画像のサイズは、表示部５３０が表示可能な画像のサイズより大きい。また、表示部６３０の解像度は、表示部５３０の解像度より大きい。たとえば、表示部６３０の解像度は、ＰＣの画像が表示できる横１３６６（ドット）×縦７６８（ドット）の解像度である。なお、表示部６３０の解像度は、横１３６６（ドット）×縦７６８（ドット）に限定されることなく、他の解像度（たとえば、１０２４×７６８）であってもよい。表示部６３０の映像を表示する部分のアスペクト比は１６：９である。なお、アスペクト比は１６：９に限定されることなく、たとえば、４：３であってもよい。
【０１０５】
音声出力部６７０は、後述する制御部６１０で行なわれる処理に対応した音声を出力する機能を有する。音声出力部６７０には、音声を出力するスピーカが含まれる。音声出力部６７０は、後述する制御部６１０から受信した音声データに基づく音声をスピーカから出力する。
【０１０６】
図７は、映像表示装置６００の内部構成を示したブロック図である。なお、図７には、説明のために、記録媒体５５５Ａも示している。記録媒体５５５Ａには、後述するプログラム１８０Ａが記録されている。すなわち、プログラム１８０Ａは、媒体等に記録されてプログラム製品として流通される。また、記録媒体５５５Ａもプログラム製品として流通される。
【０１０７】
図７を参照して、映像表示装置６００は、さらに、制御部６１０と、一時記憶部６２２と、記憶部６２０とを備える。
【０１０８】
記憶部６２０は、データを不揮発的に記憶する機能を有する。記憶部６２０は、制御部６１０によってデータアクセスされる。記憶部６２０は、大容量のデータを記憶可能なハードディスクである。なお、記憶部６２０は、ハードディスクに限定されることなく、電源を供給されなくてもデータを不揮発的に保持可能な媒体（たとえば、フラッシュメモリ）であればよい。記憶部６２０には、プログラム１８０Ａ、後述する録画データ、映像表示装置６００を識別するための装置ＩＤ、その他の各種データ等が記憶されている。
【０１０９】
制御部６１０は、記憶部６２０に記憶されたプログラム１８０Ａに従って、映像表示装置６００内の各部に対する各種処理や、演算処理等を行なう機能を有する。制御部６１０は、前述の制御部５１０と同様なものであるので詳細な説明は繰り返さない。
【０１１０】
一時記憶部６２２は、制御部６１０によってデータアクセスされ、一時的にデータを記憶するワークメモリとして使用される。一時記憶部６２２は、前述の一時記憶部５２２と同様なものであるので詳細な説明は繰り返さない。
【０１１１】
映像表示装置６００は、さらに、アンテナ６０２と、チューナ６０５と、データ処理部６０７とを備える。
【０１１２】
アンテナ６０２は、チューナ６０５と接続されている。チューナ６０５は、制御部６１０により指示された周波数の放送信号を、アンテナ６０２を介して受信する。チューナ６０５は、ディジタル放送およびアナログ放送に基づく放送信号を受信する機能を有する。
【０１１３】
放送信号は、画像データ、音声データ、テキストデータ、ＥＰＧデータを含む。なお、放送信号が、ディジタル放送に基づく信号である場合、放送信号は、さらに、前述したＢＭＬデータ等が含まれる。チューナ６０５は、受信した放送信号を、データ処理部６０７へ送信する。
【０１１４】
データ処理部６０７は、受信した放送信号を復調し、復調データとする。受信した放送信号が、アナログ放送に基づく信号である場合、データ処理部６０７は、以下の処理を行なう。まず、データ処理部６０７は、復調データを、デコード処理し、画像データおよび音声データを取得するとともに、放送信号の垂直帰線区間から、テキストデータ、ＥＰＧデータを取得する。
【０１１５】
そして、データ処理部６０７は、制御部６１０から、表示部６３０に画像を表示させるための表示指示を受信すると、画像データを、後述するＶＤＰ６３２へ送信する。ＶＤＰ６３２は、画像データを受信すると、表示部６３０に画像データに基づく画像（動画像または静止画像）を表示させる。
【０１１６】
また、データ処理部６０７は、制御部６１０から、録画処理を行なうための録画指示を受信すると、画像データおよび音声データを圧縮して、録画データとして、記憶部６２０に記憶させる。録画データは、ＭＰＥＧ２形式で圧縮されたデータである。なお、録画データは、ＭＰＥＧ２形式で圧縮されたデータに限定されることなく、他の形式で圧縮されたデータであってもよい。ここで、他の形式とは、たとえば、ＭＰＥＧ１、Ｈ．２６４等の形式である。
【０１１７】
また、受信した放送信号が、ディジタル放送に基づく信号である場合、データ処理部６０７は、以下の処理を行なう。まず、データ処理部６０７は、復調データを、ディジタル放送の規格に基づいてデコード処理し、デコードデータにする。デコードデータには、画像データ、音声データ、テキストデータ、ＥＰＧデータ、ＢＭＬデータが含まれる。デコードデータに含まれる、画像データおよび音声データは、ＭＰＥＧ２形式で圧縮されたデータである。なお、デコードデータに含まれる、画像データおよび音声データは、ＭＰＥＧ２形式で圧縮されたデータに限定されることなく、他の形式で圧縮されたデータであってもよい。ここで、他の形式とは、たとえば、ＭＰＥＧ１、Ｈ．２６４等の形式である。
【０１１８】
そして、データ処理部６０７は、制御部６１０から、表示部６３０に画像データを表示させるための表示指示を受信すると、表示指示により指定されたチャンネルのデコードデータに含まれる画像データを、後述するＶＤＰ６３２へ送信する。ＶＤＰ６３２は、画像データを受信すると、表示部６３０に画像データに基づく画像（動画像または静止画像）を表示させる。
【０１１９】
以下においては、チューナ６０５が受信した放送信号に基づく画像であって、かつ、表示部６３０に表示される画像を、ＴＶ画像ともいう。なお、映像表示装置６００を操作するための後述するリモコン３００に設けられる、“１”〜“１２”の数字ボタンの押下操作で、直接、選局可能なＴＶ画像のチャンネルの種類の数は、最大で１２個であるとする。当然のことながら、リモコン３００に設けられる数字ボタンの数が多ければ多いほど、直接、選局可能なＴＶ画像のチャンネルの種類の数は多くなる。
【０１２０】
リモコン３００の“１”〜“１２”の数字ボタンには、それぞれ、“１”〜“１２”のリモコンチャンネル番号が設定される。たとえば、“３”の数字ボタンには、リモコンチャンネル番号“３”が設定される。また、１つのリモコンチャンネル番号には、１つのＴＶ画像のチャンネルを登録可能である。たとえば、リモコンチャンネル番号“１”に対し、ＴＶ画像のチャンネル番号“８”が登録されているとする。この場合、リモコン３００の“１”の数字ボタンが、ユーザにより押下処理されることにより、リモコン３００から、チャンネル番号“８”のＴＶ画像を選局するためのリモコン信号が、映像表示装置６００へ送信される。
【０１２１】
なお、映像表示装置６００は、複数種類のＴＶ画像を同時に、表示部６３０に表示する機能を有する。また、映像表示装置６００は、ＴＶ画像と、他の種類の画像とを同時に、表示部６３０に表示する機能を有する。
【０１２２】
また、データ処理部６０７は、制御部６１０から、録画処理を行なうための録画指示を受信すると、録画指示により指定されたチャンネルのデコードデータを、録画データとして、記憶部６２０に記憶させる。この場合の録画データを、以下においては、コンテンツともいう。この場合、録画データには、画像データ、音声データ、テキストデータおよびＢＭＬデータが含まれる。
【０１２３】
映像表示装置６００は、さらに、ＶＤＰ６３２と、ＶＲＡＭ６３６とを備える。
ＶＲＡＭ６３６は、画像データを一時的に記憶する機能を有する。
【０１２４】
制御部６１０は、記憶部６２０に記憶されたプログラム１８０Ａに従って、ＶＤＰ６３２に対し、描画指示を出す。描画指示とは、画像を生成し、当該画像を表示部６３０に表示させる指示である。
【０１２５】
ＶＤＰ６３２は表示部６３０と接続されている。ＶＤＰ６３２は、制御部６１０からの描画指示に応じて、記憶部６２０内の後述するプログラム１８０Ａからフォントデータ、図形データ等を読出し、ＶＲＡＭ６３６を利用して画像を生成する。そして、ＶＤＰ６３２は、ＶＲＡＭ６３６に記憶された画像データを読出し、表示部６３０に、当該画像データに基づく画像を表示させる。
【０１２６】
映像表示装置６００は、さらに、入力部６４０と、記録媒体アクセス部６５０とを備える。
【０１２７】
入力部６４０は、図示されない複数のボタンを含む。複数のボタンは、映像表示装置６００の外部に設けられている。複数のボタンのうち、いずれかのボタンがユーザにより押下操作されると、入力部６４０は、押下操作されたボタンに対応するボタン信号を、制御部６１０へ送信する。制御部６１０は、受信したボタン信号に基づいて、所定の処理を行なう。以下においては、ユーザによる、入力部６４０のボタン操作を、インターフェース操作Ｔともいう。
【０１２８】
記録媒体アクセス部６５０は、プログラム１８０Ａが記録された記録媒体５５５Ａから、プログラム１８０Ａを読出す機能を有する。記録媒体５５５Ａに記憶されているプログラム１８０Ａは、制御部６１０のインストール処理により、記録媒体アクセス部６５０により読み出され、制御部６１０が、プログラム１８０Ａを、記憶部６２０に記憶させる。このインストール処理用プログラムは、予め、記憶部６２０に格納されており、インストール処理は、制御部６１０が、インストール処理用プログラムに基づいて行なう。
【０１２９】
なお、記憶部６２０には、プログラム１８０Ａがインストールされていなくてもよい。この場合、制御部６１０は、記録媒体アクセス部６５０を介して、記録媒体５５５Ａに記憶されたプログラム１８０Ａを読み出して、プログラム１８０Ａに基づいた所定の処理を行なう。記録媒体５５５Ａには、さらに、コンテンツデータ等も記録されている。コンテンツデータは、たとえば、音楽データ、動画像データ等である。
【０１３０】
記録媒体５５５Ａは、Blu-ray Disc(登録商標)、ＨＤ−ＤＶＤ（High-Definition Digital Versatile Disc）（登録商標）、ＤＶＤ−ＲＯＭ（Digital Versatile Disk Read Only Memory）、ＤＶＤ−Ｒ（Digital Versatile Disk Recordable）、ＤＶＤ−ＲＡＭ（Digital Versatile Disk Random Access Memory）、ＤＶＤ＋ＲＷ（Digital Versatile Disk Re-Writable）、ＤＶＤ−ＲＷ、ＣＤ−ＲＯＭ（Compact Disk Read Only Memory）、ＭＯ（Magneto Optical Disk）、フロッピー（登録商標）ディスク、ＣＦカード（登録商標）、ＳＭ（Smart Media（登録商標））、ＭＭＣ（登録商標）、ＳＤメモリーカード（登録商標）、メモリースティック（登録商標）、ｘＤピクチャーカード、ＵＳＢメモリ、磁気テープおよび上記以外の不揮発性メモリのいずれであってもよい。
【０１３１】
映像表示装置６００は、さらに、通信部６６０と、通信部６６２とを備える。
通信部６６０は、制御部６１０とデータの送受信を行なう。また、通信部６６０は、通信端末装置５００と有線または無線で、データの送受信を行なう機能を有する。なお、通信部６６０は、前述の通信部５６０と同様な構成および機能を有するので詳細な説明は繰り返さない。
【０１３２】
通信部６６２は、制御部６１０と、データの送受信を行なう。通信部６６２は、前述の通信部５６２と同様な構成および機能を有するので詳細な説明は繰り返さない。したがって、通信部６６２は、無線により、通信部５０とデータ通信を行なうことができる。また、通信部６６２は、たとえば、ＬＡＮケーブルを介して、通信部５０とデータ通信を行なうことができる。
【０１３３】
したがって、本実施の形態における映像表示装置６００は、ネットワーク７０から、通信部５０および通信部６６２を介して、プログラムのダウンロード処理を行ない、記憶部６２０に格納することもできる。この場合、当該ダウンロードしたプログラムは、プログラム１８０Ａである。
【０１３４】
制御部６１０は、ネットワーク７０からダウンロードしたプログラム（プログラム１８０Ａ）に従って、所定の処理を行なう。このダウンロード用プログラムは、予め、記憶部６２０に格納されており、ダウンロード処理は、制御部６１０が、ダウンロード用プログラムに基づいて行なう。
【０１３５】
映像表示装置６００は、さらに、リモコン信号受信部６８０を備える。リモコン信号受信部６８０は、リモコン（リモートコントローラー）３００から出力される、映像表示装置６００を操作するためのリモコン信号を受信する機能を有する。リモコン信号受信部６８０は、受信したリモコン信号を制御部６１０へ送信する。制御部６１０は、受信したリモコン信号に応じて、対応する処理を行なう。なお、リモコン３００には、前述したように、ＴＶ画像を選局するための“１”〜“１２”の数字ボタンが設けられる。以下においては、ユーザによる、リモコン３００の操作も、インターフェース操作Ｔともいう。
【０１３６】
なお、前述した通信端末装置５００がリモコン３００の機能を有することも想定でき、通信端末装置５００、リモコン３００は、２つが存在する場合、および一方のみしか存在しない場合なども想定できる。
【０１３７】
制御部６１０は、前述した音声出力部６７０とデータ通信する。制御部６１０が、音声データを音声出力部６７０へ送信すると、音声出力部６７０は、制御部６１０から受信した音声データに基づく音声をスピーカから出力する。
（サービスサーバ、検索サーバおよびＷｅｂサーバ）
図８は、サービスサーバ８００Ａの内部構成を示したブロック図である。図８を参照して、サービスサーバ８００Ａは、表示部８３０と、制御部８１０と、一時記憶部８２２と、記憶部８２０とを備える。
【０１３８】
表示部８３０は、文字や画像等を表示する機能を有する。表示部８３０は、前述の表示部６３０と同様なものであるので詳細な説明は繰り返さない。
【０１３９】
記憶部８２０は、データを不揮発的に記憶する機能を有する。記憶部８２０は、制御部８１０によってデータアクセスされる。記憶部８２０は、大容量のデータを記憶可能なハードディスクである。なお、記憶部８２０は、ハードディスクに限定されることなく、電源を供給されなくてもデータを不揮発的に保持可能な媒体（たとえば、フラッシュメモリ）であればよい。記憶部８２０には、プログラム１８０Ｂ、録画データ、コンテンツデータ、その他の各種データ等が記憶されている。
【０１４０】
制御部８１０は、記憶部８２０に記憶されたプログラム１８０Ｂに従って、サービスサーバ８００Ａ内の各部に対する各種処理や、演算処理等を行なう機能を有する。制御部８１０は、前述の制御部５１０と同様なものであるので詳細な説明は繰り返さない。
【０１４１】
一時記憶部８２２は、制御部８１０によってデータアクセスされ、一時的にデータを記憶するワークメモリとして使用される。一時記憶部８２２は、前述の一時記憶部５２２と同様なものであるので詳細な説明は繰り返さない。
【０１４２】
サービスサーバ８００Ａは、さらに、ＶＤＰ８３２と、ＶＲＡＭ８３６とを備える。
ＶＲＡＭ８３６は、画像データを一時的に記憶する機能を有する。
【０１４３】
制御部８１０は、記憶部８２０に記憶されたプログラム１８０Ｂに従って、ＶＤＰ８３２に対し、描画指示を出す。描画指示とは、画像を生成し、当該画像を表示部８３０に表示させる指示である。
【０１４４】
ＶＤＰ８３２は表示部８３０と接続されている。ＶＤＰ８３２は、制御部８１０からの描画指示に応じて、記憶部５２０内の後述するプログラム１８０Ｂからフォントデータ、図形データ等を読出し、ＶＲＡＭ８３６を利用して画像を生成する。そして、ＶＤＰ８３２は、ＶＲＡＭ８３６に記憶された画像データを読出し、表示部８３０に、当該画像データに基づく画像を表示させる。
【０１４５】
サービスサーバ８００Ａは、さらに、入力部８４０を備える。
入力部８４０には、マウス８４２と、キーボード８４４とが接続されている。ユーザは、マウス８４２またはキーボード８４４を利用して、サービスサーバ８００Ａに指示を与える。マウス８４２またはキーボード８４４からの入力指示は、入力部８４０を介して制御部８１０へ送信される。制御部８１０は、入力部８４０からの入力指示に基づいて所定の処理を行なう。
【０１４６】
サービスサーバ８００Ａは、さらに、通信部８６０と、通信部８６２とを備える。
通信部８６０は、制御部８１０とデータの送受信を行なう。また、通信部８６０は、図示しない他の装置と有線または無線で、データの送受信を行なう機能を有する。なお、通信部８６０は、前述の通信部５６０と同様な構成および機能を有するので詳細な説明は繰り返さない。
【０１４７】
通信部８６２は、制御部８１０と、データの送受信を行なう。通信部８６２は、前述の通信部５６２と同様な構成および機能を有するので詳細な説明は繰り返さない。したがって、通信部８６２は、無線により、ネットワーク７０とデータ通信を行なうことができる。また、通信部８６２は、たとえば、ＬＡＮケーブルを介して、ネットワーク７０とデータ通信を行なうことができる。
【０１４８】
なお、検索サーバ８００ＳおよびＷｅｂサーバ８００Ｗの各々も、前述したサービスサーバ８００Ａと同様な構成を有するので詳細な説明は繰り返さない。
【０１４９】
次に、通信端末装置５００を、映像表示装置６００を操作するためのリモコン（以下、表示装置リモコンともいう）として使用するための処理について説明する。インターフェース操作Ｍにより、制御部５１０がプログラム１８０のリモコンプログラムを実行すると、通信端末装置５００を、表示装置リモコンとして使用することが可能となる。この場合、表示部５３０には、以下のリモコン画像ＭＧ１００が表示される。
（リモコン）
図９は、一例としてのリモコン画像ＭＧ１００を示す図である。図９を参照して、リモコン画像ＭＧ１００には、ボタン画像ＭＢＧ１１０，ＭＢＧ１２０，ＭＢＧ１３０が配置される。
【０１５０】
ボタン画像ＭＢＧ１１０，ＭＢＧ１２０，ＭＢＧ１３０の各々は、インターフェース操作Ｍにより、押下処理されることで、制御部５１０が、後述の対応するリモコン信号を、通信部５６０を利用して、映像表示装置６００へ送信するためのボタン画像である。
【０１５１】
ボタン画像ＭＢＧ１１０は、インターフェース操作Ｍにより、押下処理されることで、電源リモコン信号を、映像表示装置６００へ送信するためのボタン画像である。ここで、映像表示装置６００は、待機モードを有する。待機モードとは、表示部６３０に画像を表示させるための電源がオフであるために、表示部６３０が画像を表示できない状態であって、主電源がオフでない状態である。すなわち、待機モードとは、表示部６３０に画像が表示されていない状態であって、主電源がオフでない状態である。以下においては、表示部６３０に画像を表示させるための電源を画像表示電源ともいう。
【０１５２】
したがって、映像表示装置６００が待機モードの場合、電源リモコン信号を受信することにより、画像表示電源がオンされることにより、表示部６３０に画像を表示させることができる。なお、以下においては、画像表示電源がオンの状態の映像表示装置６００を通常モードともいう。すなわち、電源リモコン信号は、映像表示装置６００において、待機モードと、通常モードとを切替えるためのリモコン信号である。
【０１５３】
ボタン画像ＭＢＧ１２０は、インターフェース操作Ｍにより、押下処理されることで、番組表表示リモコン信号を、映像表示装置６００へ送信するためのボタン画像である。番組表表示リモコン信号は、映像表示装置６００の表示部６３０に、後述する番組表画像を表示させるためのリモコン信号である。
【０１５４】
ボタン画像ＭＢＧ１３０は、インターフェース操作Ｍにより、押下処理されることで、メニュー表示リモコン信号を、映像表示装置６００へ送信するためのボタン画像である。メニュー表示リモコン信号は、映像表示装置６００の表示部６３０に、後述するメニュー画像を表示させるためのリモコン信号である。
【０１５５】
リモコン画像ＭＧ１００には、さらに、ボタン画像ＭＢＧ１４２，ＭＢＧ１４４，ＭＢＧ１５２，ＭＢＧ１５４が配置される。ボタン画像ＭＢＧ１４２，ＭＢＧ１４４，ＭＢＧ１５２，ＭＢＧ１５４の各々は、インターフェース操作Ｍにより、押下処理されることで、制御部５１０が、後述の対応するリモコン信号を、通信部５６０を利用して、映像表示装置６００へ送信するためのボタン画像である。
【０１５６】
ボタン画像ＭＢＧ１４２は、インターフェース操作Ｍにより、押下処理されることで、音量アップリモコン信号を、映像表示装置６００へ送信するためのボタン画像である。音量アップリモコン信号は、映像表示装置６００の音声出力部６７０から出力される音声を大きくさせるためのリモコン信号である。ボタン画像ＭＢＧ１４４は、インターフェース操作Ｍにより、押下処理されることで、音量ダウンリモコン信号を、映像表示装置６００へ送信するためのボタン画像である。音量ダウンリモコン信号は、映像表示装置６００の音声出力部６７０から出力される音声を小さくさせるためのリモコン信号である。
【０１５７】
ボタン画像ＭＢＧ１５２は、インターフェース操作Ｍにより、押下処理されることで、チャンネルプラスリモコン信号を、映像表示装置６００へ送信するためのボタン画像である。チャンネルプラスリモコン信号は、映像表示装置６００の表示部６３０にＴＶ画像が表示されている場合に、前述のリモコンチャンネル番号を１インクリメントさせるためのリモコン信号である。なお、リモコンチャンネル番号が“１２”の場合に、上記の１インクリメントされる処理が行われた場合、リモコンチャンネル番号は、“１”になる。
【０１５８】
ボタン画像ＭＢＧ１５４は、インターフェース操作Ｍにより、押下処理されることで、チャンネルマイナスリモコン信号を、映像表示装置６００へ送信するためのボタン画像である。チャンネルマイナスリモコン信号は、映像表示装置６００の表示部６３０にＴＶ画像が表示されている場合に、前述のリモコンチャンネル番号を１デクリメントさせるためのリモコン信号である。なお、リモコンチャンネル番号が“１”の場合に、上記の１デクリメントされる処理が行われた場合、リモコンチャンネル番号は、“１２”になる。
【０１５９】
リモコン画像ＭＧ１００には、さらに、ボタン画像ＭＢＧ１７０，ＭＢＧ１８０が配置される。ボタン画像ＭＢＧ１７０，ＭＢＧ１８０の各々は、インターフェース操作Ｍにより、押下処理されることで、制御部５１０が、後述の対応するリモコン信号を、通信部５６０を利用して、映像表示装置６００へ送信するためのボタン画像である。
【０１６０】
ボタン画像ＭＢＧ１７０は、インターフェース操作Ｍにより、押下処理されることで、設定画像表示リモコン信号を、映像表示装置６００へ送信するためのボタン画像である。設定画像表示リモコン信号は、映像表示装置６００の表示部６３０に、後述する設定画像を表示させるためのリモコン信号である。ボタン画像ＭＢＧ１８０は、インターフェース操作Ｍにより、押下処理されることで、詳細リモコン画像表示リモコン信号を、映像表示装置６００へ送信するためのボタン画像である。詳細リモコン画像表示リモコン信号は、映像表示装置６００の表示部６３０に、詳細リモコン画像を表示させるためのリモコン信号である。詳細リモコン画像とは、映像表示装置６００に対し頻繁に使用されるリモコン信号以外のリモコン信号を、映像表示装置６００へ送信するための画像である。
【０１６１】
以下においては、通信端末装置５００が、映像表示装置６００へリモコン信号を送信することで映像表示装置６００を操作可能な場合における、通信端末装置５００の動作モードを、リモコンモードともいう。
（コンテンツの処理）
次に、映像表示装置６００が、コンテンツを表示するための処理（以下、コンテンツ取扱い処理ともいう）について説明する。なお、映像表示装置６００は、待機モードであるとする。前述したように、待機モードとは、表示部６３０に画像が表示されていない状態であって、主電源がオフでない状態である。映像表示装置６００は、待機モードであっても、通信部５０とデータ通信可能であるとし、以下の処理を行なう。
【０１６２】
図１０は、コンテンツ取扱い処理のフローチャートである。図１０では、通信端末装置５００および映像表示装置６００の各々において行なわれる処理を示す。なお、コンテンツ取扱い処理が行なわれる前に、通信端末装置５００において、制御部５１０が、チューナ５０５およびデータ処理部５０７に対し、放送信号に基づく画像（以下、ＴＶ画像ともいう）を、表示部５３０に表示させるための制御をしているとする。したがって、表示部５３０には、ＴＶ画像が表示されている。表示部５３０に表示されているＴＶ画像は、一例として、３チャンネルのＴＶ画像であるとする。また、表示部５３０に表示されているＴＶ画像の音声が、通信端末装置５００の音声出力部５７２から出力されているとする。
【０１６３】
なお、表示部５３０に表示されている画像は、ＴＶ画像に限定されることなく、通信端末装置５００がサービスサーバ８００Ａから受信したコンテンツに基づく画像（以下、コンテンツ画像ともいう）であってもよい。この場合、表示部５３０に表示されているコンテンツ画像の音声が、通信端末装置５００の音声出力部５７２から出力されることになる。
【０１６４】
図１０を参照して、映像表示装置６００では、まず、ステップＳ１２０の処理が行なわれる。
【０１６５】
ステップＳ１２０では、接続信号送信処理が行なわれる。接続信号送信処理では、制御部６１０が、無線データ通信機能により接続信号を送信する。無線データ通信機能は、一例として、Bluetooth（登録商標）を使用した通信機能であるとする。接続信号には、映像表示装置６００の装置ＩＤが含まれる。ここで、装置ＩＤとは、装置を識別するための情報（以下、装置識別情報ともいう）である。映像表示装置６００の装置ＩＤは、一例として、“１１ＴＡ”であるとする。上記処理により送信される接続信号は、映像表示装置６００の設置位置から、一例として、半径１０メートルの範囲内まで到達するものとする。すなわち、上記処理により、映像表示装置６００の設置位置から、一例として、半径１０メートルの範囲（以下、接続信号受信可能範囲ともいう）内にある装置は、接続信号を受信可能であるとする。ここで、通信端末装置５００は、電源がオン状態であり、かつ、接続信号受信可能範囲内にあるとする。その後、このステップＳ１２０の処理は終了する。
【０１６６】
通信端末装置５００では、まず、ステップＳ１１０の処理が行なわれる。
ステップＳ１１０では、制御部５１０が、映像表示装置６００とデータ通信可能であるか否かを判定する。すなわち、制御部５１０は、通信端末装置５００と映像表示装置６００との距離が所定の距離以下となる位置に配置された映像表示装置６００とデータ通信可能であるか否かを判定する。具体的には、制御部５１０が、接続信号を受信したか否かを判定する。ステップＳ１１０において、ＹＥＳならば、ステップＳ１１１に進む。一方、ステップＳ１１０において、ＮＯならば、再度、ステップＳ１１０の処理が行なわれる。ここでは、接続信号を受信したとして、ステップＳ１１１に進む。ステップＳ１１０において、ＹＥＳと判定される場合は、制御部５１０が、映像表示装置６００とデータ通信可能であると判定した場合である。
【０１６７】
ステップＳ１１１では、装置認識処理が行なわれる。装置認識処理では、制御部５１０が、以下の装置特定データＤ１００を参照して、処理を行なう。装置特定データＤ１００は、受信した装置ＩＤにより装置を特定するためのデータである。なお、装置特定データＤ１００は、予め、記憶部５２０に記憶されている。
【０１６８】
図１１は、一例としての装置特定データＤ１００を示す図である。図１１を参照して、装置特定データＤ１００は、複数の装置特定情報から構成される。装置特定データＤ１００において、「番号」とは、複数の装置特定情報の各々を管理するための番号である。「装置ＩＤ］とは、装置を特定（識別）するためのＩＤである。「装置名」とは、「装置ＩＤ］により特定される装置の名称である。たとえば、装置ＩＤが“１１ＨＤＲ”の装置名は、「ＨＤＤレコーダ」である。
【０１６９】
再び、図１０を参照して、ステップＳ１１１の装置認識処理では、制御部５１０が、記憶部５２０に記憶されている装置特定データＤ１００を参照し、受信した接続信号に含まれる装置ＩＤにより、接続信号を送信した装置の装置名を認識する。ここでは、接続信号に含まれる装置ＩＤは、“１１ＴＡ”であるので、制御部５１０は、接続信号を送信した装置の装置名は、「ＴＶ」であることを認識する。
【０１７０】
そして、制御部５１０は、ＶＤＰ５３２を利用して、認識した装置名を表示したアイコンをＴＶ画像に重ねて表示した、以下の装置認識画像ＭＧ２００を生成し、生成した装置認識画像ＭＧ２００を、表示部５３０に表示する。
【０１７１】
そして、制御部５１０は、ＬＥＤ５７６に、たとえば、青色の光を発光させる。青色の光は、たとえば、映像表示装置６００とデータ通信可能である状態を示す。その後、ステップＳ１１１の処理は終了する。
【０１７２】
本実施の形態では、ＬＥＤにより通信状態を表現しているが、通信状態の表現は、ＬＥＤに限定されるものではない。たとえば、通信端末装置５００の表示部５３０が表示している画像内の一部に通信状態を表示することにより、通信状態が表現されてもよい。
【０１７３】
図１２は、一例としての装置認識画像ＭＧ２００を示す図である。図１２を参照して、装置認識画像ＭＧ２００は、ＴＶ画像内にアイコンとしてのボタン画像ＭＢＧ２１０が配置された画像である。
【０１７４】
ボタン画像ＭＢＧ２１０には、制御部５１０が認識した装置名が表示される。また、ボタン画像ＭＢＧ２１０は、インターフェース操作Ｍにより、押下処理されることで、制御信号としての制御開始信号を、装置名に対応する装置ＩＤの装置へ送信するためのボタン画像である。制御開始信号は、待機モードである装置を通常モードにするための信号である。ここで、ボタン画像ＭＢＧ２１０に表示される装置名は、「ＴＶ」なので、対応する装置ＩＤは、“１１ＴＡ”となり、制御開始信号は、ボタン画像ＭＢＧ２１０の押下処理により、映像表示装置６００へ送信される。
【０１７５】
再び、図１１を参照して、ステップＳ１１１の処理の後、ステップＳ１１２に進む。
ステップＳ１１２では、制御部５１０が、制御開始操作があるか否かを判定する。制御開始操作とは、ボタン画像ＭＢＧ２１０を押下処理するためのインターフェース操作Ｍである。ステップＳ１１２において、ＹＥＳならば、ステップＳ１１３に進む。一方、ステップＳ１１２において、ＮＯならば、再度、ステップＳ１１２の処理が行なわれる。ここでは、制御開始操作があったとして、ステップＳ１１３に進む。
【０１７６】
ステップＳ１１３では、制御部５１０が、制御信号としての制御開始信号を、接続信号を送信した装置へ送信する。ここで、接続信号を送信した装置は、映像表示装置６００であるので、制御部５１０は、制御信号としての制御開始信号を、映像表示装置６００へ送信する。送信される制御開始信号には、コンテンツ情報が含まれる。
【０１７７】
コンテンツ情報は、コンテンツ特定情報と、コンテンツ音量情報とを含む。コンテンツ特定情報は、表示部５３０に表示されているコンテンツを特定するための情報である。コンテンツ音量情報は、表示部５３０に表示されているコンテンツの音声の音量を示す情報である。表示部５３０に表示されているコンテンツの音声の音量値は、たとえば、“０”〜“２０”の数値で表現されるとする。音量値が“０”の場合、表示部５３０に表示されているコンテンツの音声の音量がゼロであることを示す。
【０１７８】
ここで、表示部５３０には、放送信号に基づく３チャンネルのＴＶ画像が表示されているとする。この場合、表示部５３０に表示されているコンテンツは、３チャンネルのＴＶ画像となる。したがって、コンテンツ特定情報は、３チャンネルを示す情報となる。また、表示部５３０に表示されているＴＶ画像の音声の音量値は、一例として、“１０”であるとする。したがって、コンテンツ音量情報は、音量値“１０”を示す情報である。
【０１７９】
なお、表示部５３０に、サービスサーバ８００Ａから受信したコンテンツに基づくコンテンツ画像が表示されている場合は、受信したコンテンツを特定するための識別情報がコンテンツ特定情報となる。また、コンテンツ画像の音声の音量値が、コンテンツ音量情報となる。
【０１８０】
また、送信される制御開始信号には、さらに、受信した接続信号に含まれる装置ＩＤ（“１１ＴＡ”）と、通信端末装置５００の装置ＩＤとが含まれる。通信端末装置５００の装置ＩＤは、一例として、“１１ＭＡ”であるとする。そして、ステップＳ１１３の処理は終了する。
【０１８１】
映像表示装置６００では、ステップＳ１２０の処理の後、ステップＳ１２１に進む。
ステップＳ１２１では、制御部６１０が、自装置の装置ＩＤを含む制御開始信号を受信したか否かを判定する。ステップＳ１２１において、ＹＥＳならば、ステップＳ１２２に進む。一方、ステップＳ１２１において、ＮＯならば、所定時間（たとえば、１０秒）処理を停止した後、再度、ステップＳ１２０の処理が行なわれる。すなわち、制御部６１０は、制御開始信号を受信するまで、所定時間間隔で、接続信号受信可能範囲内の装置へ接続信号を送信する。ここでは、自装置の装置ＩＤ（“１１ＴＡ”）と、通信端末装置５００の装置ＩＤ（“１１ＭＡ”）とを含む制御開始信号を受信したとして、ステップＳ１２２に進む。
【０１８２】
ステップＳ１２２では、制御部６１０が、自装置である映像表示装置６００が待機モードであるか否かを判定する。ステップＳ１２２において、ＹＥＳならば、ステップＳ１２３に進む。一方、ステップＳ１２２において、ＮＯならば、ステップＳ１２４に進む。ここでは、映像表示装置６００が待機モードであるとして、ステップＳ１２３に進む。なお、ステップＳ１２２において、ＮＯと判定される場合は、映像表示装置６００が通常モードに設定されている場合である。
【０１８３】
ステップＳ１２３では、制御部６１０が、前述の画像表示電源をオンにさせ、映像表示装置６００を通常モードに設定する。これにより、表示部６３０に画像が表示可能となる。そして、ステップＳ１２４に進む。
【０１８４】
ステップＳ１２４では、コンテンツ表示処理が行なわれる。コンテンツ表示処理では、制御部６１０が、ＶＤＰ６３２を利用して、受信した制御開始信号に含まれるコンテンツ情報に含まれるコンテンツ特定情報に基づくコンテンツを表示部６３０に表示させる。また、制御部６１０は、表示部６３０に表示させたコンテンツの音声を、受信した制御開始信号に含まれるコンテンツ情報に含まれるコンテンツ音量情報が示す音量値に基づく音量で、音声出力部６７０から出力させる。
【０１８５】
ここで、表示部６３０に表示される、コンテンツ特定情報に基づくコンテンツは、放送信号に基づく３チャンネルのＴＶ画像である。この場合、制御部６１０は、データ処理部６０７も使用して、表示部６３０に、放送信号に基づく３チャンネルのＴＶ画像を表示させる。なお、ステップＳ１２４の処理が行なわれる前から、表示部６３０に３チャンネルのＴＶ画像が表示されている場合は、表示部６３０に表示される画像は変わらないことになる。
【０１８６】
また、コンテンツ音量情報が示す音量値は、“１０”である。そのため、音声出力部６７０から出力される、表示部６３０に表示させたコンテンツの音声の音量は、コンテンツ音量情報が示す音量値“１０”に基づく音量となる。
【０１８７】
なお、表示部６３０に表示させたコンテンツの音声の音量値は、コンテンツ音量情報が示す音量値“１０”と同じでなくてもよい。この場合、通信端末装置５００の音声出力部５７２から出力される音声の音量に対し、映像表示装置６００の音声出力部６７０から出力される音声の音量が、ｋ（１以上の自然数（たとえば、２））倍となるように、コンテンツ音量情報が示す音量値に基づいて、映像表示装置６００の音声出力部６７０から出力される音量が制御部６１０により設定される。
【０１８８】
なお、コンテンツ特定情報が、サービスサーバ８００Ａから受信したコンテンツを識別するための情報である場合、制御部６１０は、サービスサーバ８００Ａから、コンテンツ特定情報により特定されるコンテンツを受信し、表示部６３０に受信したコンテンツを表示させる。また、この場合、制御部６１０は、コンテンツ音量情報が示す音量で、表示部６３０に表示されているコンテンツの音声を、音声出力部６７０から出力させる。そして、ステップＳ１２４の処理は終了する。
【０１８９】
以上の処理により、簡易な操作で、通信端末装置５００の表示部５３０で表示しているコンテンツを、映像表示装置６００の表示部６３０に表示させることができる。表示部６３０の表示可能な画像のサイズは、表示部５３０の表示可能な画像のサイズより大きいため、ユーザは、表示部６３０に表示されたコンテンツを快適に見ることができる。
【０１９０】
また、通信端末装置５００で表示しているコンテンツの音量値を、映像表示装置６００で表示させているコンテンツに引き継ぐことができる。そのため、音量値を調整するといった手間が不要となるという効果が得られる。
【０１９１】
ここでは、音量値を引き継ぐことを説明したが、それ以外に、チャンネルプリセットの情報、音声モード、画面表示モードなどの情報を引き継ぐことも想定できる。
【０１９２】
ステップＳ１２４の処理の後、ステップＳ１２５に進む。
ステップＳ１２５では、プログラム送信処理が行なわれる。プログラム送信処理では、制御部６１０が、以下のプログラム選択データＤ２００に基づいて、自装置の装置ＩＤに対応するプログラムを、通信端末装置５００へ送信する。なお、送信されるプログラムには、送信先の装置である通信端末装置５００の装置ＩＤ（“１１ＭＡ”）が付加される。その後、ステップＳ１２５の処理は終了する。
【０１９３】
図１３は、一例としてのプログラム選択データＤ２００を示す図である。図１３を参照して、プログラム選択データＤ２００は、複数のプログラム選択情報から構成される。「番号」とは、複数のプログラム選択情報の各々を管理するための番号である。「装置ＩＤ］とは、装置を特定（識別）するためのＩＤである。「プログラム名」とは、プログラムの名称である。なお、プログラム選択データＤ２００に表示される複数のプログラム名にそれぞれ対応する複数のプログラムは、予め、記憶部６２０に記憶されている。
【０１９４】
したがって、自装置の装置ＩＤが、“１１ＴＡ”である場合、プログラム送信処理では、制御部６１０が、ＴＶ操作プログラムを、通信端末装置５００へ送信する。通信端末装置５００においてＴＶ操作プログラムが実行されると、以下の操作画像ＭＧ１００Ａが、表示部５３０に表示される。
【０１９５】
図１４は、一例としての操作画像ＭＧ１００Ａを示す図である。図１４を参照して、操作画像ＭＧ１００Ａは、図９のリモコン画像ＭＧ１００と比較して、ボタン画像ＭＢＧ１２０，ＭＢＧ１３０，ＭＢＧ１７０，ＭＢＧ１８０が配置されない点が異なる。それ以外は、リモコン画像ＭＧ１００と同様なので詳細な説明は繰り返さない。
【０１９６】
ＴＶ操作プログラムには、ボタン画像ＭＢＧ１１０，ＭＢＧ１４２，ＭＢＧ１４４，ＭＢＧ１５２，ＭＢＧ１５４のデータと、操作画像ＭＧ１００Ａ内にボタン画像ＭＢＧ１１０，ＭＢＧ１４２，ＭＢＧ１４４，ＭＢＧ１５２，ＭＢＧ１５４をそれぞれ配置する複数の相対座標値の情報と、ボタン画像の名称の情報等が含まれる。
【０１９７】
ボタン画像ＭＢＧ１１０，ＭＢＧ１４２，ＭＢＧ１４４，ＭＢＧ１５２，ＭＢＧ１５４のボタン画像名は、それぞれ、「電源」、「音量アップ」、「音量ダウン」、「チャンネルプラス」、「チャンネルマイナス」である。
【０１９８】
また、ＴＶ操作プログラムには、ボタン画像ＭＢＧ１１０，ＭＢＧ１４２，ＭＢＧ１４４，ＭＢＧ１５２，ＭＢＧ１５４にそれぞれ対応する複数のリモコン信号の各々を生成するためのリモコンデータや外部ボタンに対応するリモコン信号を生成するためのリモコンデータも含まれる。通信端末装置５００においてＴＶ操作プログラムが実行されている場合に、ボタン画像ＭＢＧ１１０，ＭＢＧ１４２，ＭＢＧ１４４，ＭＢＧ１５２，ＭＢＧ１５４のいずれかが、インターフェース操作Ｍにより、押下操作されると、制御部５１０が、押下操作されたボタン画像に対応するリモコンデータを使用してリモコン信号を生成し、生成したリモコン信号を、映像表示装置６００へ送信する処理が行なわれる。
【０１９９】
ボタン画像ＭＢＧ１１０，ＭＢＧ１４２，ＭＢＧ１４４，ＭＢＧ１５２，ＭＢＧ１５４にそれぞれ対応する複数のリモコンデータは、それぞれ、前述した、電源リモコン信号、音量アップリモコン信号、音量ダウンリモコン信号、チャンネルプラスリモコン信号、チャンネルマイナスリモコン信号を生成するためのデータである。
【０２００】
再び、図１０を参照して、映像表示装置６００では、ステップＳ１２５の処理の後、ステップＳ１２６に進む。
【０２０１】
ステップＳ１２６では、操作ガイダンス表示処理が行なわれる。操作ガイダンス表示処理では、制御部６１０が、ＶＤＰ６３２を利用して、表示部６３０に表示されているコンテンツ（たとえば、ＴＶ画像）内に、操作ガイダンス画像を表示した、以下の操作ガイダンス表示画像Ｇ１００を生成し、操作ガイダンス表示画像Ｇ１００を表示部６３０に表示させる。そして、ステップＳ１２６の処理は終了する。
【０２０２】
ここで、表示部６３０に表示されているコンテンツとしてのＴＶ画像に対し、前述した録画処理も同時に行なわれているとする。そのため、表示部６３０に表示されているＴＶ画像を一時停止させて、静止画像を表示することができる。また、ＴＶ画像を一時停止させた場合、ＴＶ画像の一時停止させた箇所（以下、一時停止箇所ともいう）から現在の時刻までのＴＶ画像は録画処理されているため、現在の時刻までのＴＶ画像を表示させるために、ＴＶ画像の一時停止箇所から現在の時刻のＴＶ画像の箇所まで早送り再生も可能となる。
【０２０３】
また、ＴＶ画像を停止させて、表示部６３０にＴＶ画像を表示しないようにもできる。ＴＶ画像が停止され、表示部６３０にＴＶ画像が表示されてないときに、再生操作が行なわれると、停止操作が行なわれたＴＶ画像の箇所から再生表示が行なわれる。また、巻き戻し操作により、現在、表示部６３０に表示されているＴＶ画像の表示箇所を所定期間（たとえば、１５秒）前の箇所にすることもできる。
【０２０４】
図１５は、一例としての操作ガイダンス表示画像Ｇ１００を示す図である。図１５を参照して、操作ガイダンス表示画像Ｇ１００は、ＴＶ画像内に操作ガイダンス画像Ｇ１７０が配置された画像である。操作ガイダンス画像Ｇ１７０には、映像表示装置６００を、通信端末装置５００により操作するための操作ガイダンス情報が表示される。
【０２０５】
操作ガイダンス情報は、一例として、「左方向ボタン（巻き戻し）、右方向ボタン（早送り）、上方向ボタン（一時停止）、下方向ボタン（停止）、決定ボタン（再生）」という情報である。左方向ボタン、右方向ボタン、上方向ボタン、下方向ボタンおよび決定ボタンは、それぞれ、通信端末装置５００の方向ボタン５４１Ｃ，５４１Ｄ，５４１Ａ，５４１Ｂ，５４１Ｅの名称である。
【０２０６】
したがって、操作ガイダンス画像Ｇ１７０に示される操作ガイダンス情報によれば、たとえば、上方向ボタンである方向ボタン５４１Ａが押下処理されることにより、現在、表示中のコンテンツを一時停止できることが分かる。すなわち、操作ガイダンス画像Ｇ１７０に示される操作ガイダンス情報を参照することで、通信端末装置５００を操作するユーザは、どのボタンを操作すればどのような処理が行なわれるか容易に認識することができる。操作ガイダンス画像Ｇ１７０に示される操作ガイダンス情報では、一例として、表示中のコンテンツに対し、巻き戻し処理、早送り処理、一時停止処理、停止処理、再生処理等を行なうことができることを示す。
【０２０７】
再び、図１０を参照して、通信端末装置５００では、ステップＳ１１３の処理の後、ステップＳ１１４に進む。
【０２０８】
ステップＳ１１４では、制御部５１０が、自装置の装置ＩＤ（“１１ＭＡ”）が付加されたプログラムを受信したか否かを判定する。ステップＳ１１４において、ＹＥＳならば、ステップＳ１１５に進む。一方、ステップＳ１１４において、ＮＯならば、再度、ステップＳ１１４の処理が行なわれる。ここでは、自装置の装置ＩＤ（“１１ＭＡ”）が付加されたＴＶ操作プログラムを受信したとして、ステップＳ１１５に進む。
【０２０９】
ステップＳ１１５では、操作画像表示処理が行なわれる。操作画像表示処理では、制御部５１０が、受信したプログラムを実行する。ここで、受信したプログラムは、ＴＶ操作プログラムであるとする。制御部５１０は、ＴＶ操作プログラムを実行することにより、ＶＤＰ５３２を利用して、図１４の操作画像ＭＧ１００Ａを生成し、表示部５３０に操作画像ＭＧ１００Ａを表示させる。
【０２１０】
また、制御部５１０は、通信端末装置５００をリモコンモードに設定する。そして、制御部５１０は、ＬＥＤ５７６に、たとえば、赤色の光を発光させる。赤色の光は、たとえば、通信端末装置５００が、映像表示装置６００を操作可能な状態であることを示す。そして、ステップＳ１１５の処理は終了する。
【０２１１】
したがって、ユーザは、ＬＥＤ５７６の光の色により、通信端末装置５００の操作により、映像表示装置６００を操作できるか否か容易に認識することができる。
【０２１２】
ステップＳ１１５の処理の後、ステップＳ１１８に進む。
ステップＳ１１８では、制御部５１０が、後述する操作判定処理Ｍを実行する。操作判定処理Ｍは、他の処理とは独立して行なわれる処理である。そして、ステップＳ１１８の処理は終了し、コンテンツ取扱い処理における通信端末装置５００の処理は終了する。
【０２１３】
映像表示装置６００では、ステップＳ１２６の処理の後、ステップＳ１２８に進む。
ステップＳ１２８では、制御部６１０が、通信端末装置５００から送信されたリモコン信号に対応する処理を行なうための制御信号対応処理Ｔを実行する。制御信号対応処理Ｔは、他の処理とは独立して行なわれる処理である。そして、ステップＳ１２８の処理は終了し、コンテンツ取扱い処理における映像表示装置６００の処理は終了する。
【０２１４】
図１６は、操作判定処理Ｍおよび制御信号対応処理Ｔのフローチャートである。図１６を参照して、通信端末装置５００が行なう操作判定処理Ｍでは、まず、ステップＳ２１０の処理が行なわれる。
【０２１５】
ステップＳ２１０では、制御部５１０が、ボタン操作があるか否かを判定する。ボタン操作とは、表示部５３０に表示されている図１４の操作画像ＭＧ１００Ａに配置されている複数のボタン画像のいずれかを押下操作するためのインターフェース操作Ｍ、または、通信端末装置５００の外部に設けられた複数の外部ボタンのいずれかの押下操作である。複数の外部ボタンは、方向ボタン５４１Ａ，５４１Ｂ，５４１Ｃ，５４１Ｄ、決定ボタン５４１Ｅ、機能ボタン５４２Ａ，５４２Ｂ，５４３Ａ，５４３Ｂである。ステップＳ２１０において、ＹＥＳならば、ステップＳ２１２に進む。一方、ステップＳ２１０において、ＮＯならば、再度、ステップＳ２１０の処理が行なわれる。
【０２１６】
ステップＳ２１２では、制御部５１０が、通信部５６０を利用して、押下操作されたボタン画像または外部ボタンに対応する制御信号としてのリモコン信号を、映像表示装置６００へ送信する。ボタン操作が、たとえば、方向ボタン５４１Ａを押下する操作である場合、送信されるリモコン信号は、方向ボタン５４１Ａの名称である「上方向ボタン」の情報を含んだリモコン信号となる。ステップＳ２１２の処理が終了すると、再度、ステップＳ２１０の処理が行なわれる。
【０２１７】
映像表示装置６００が行なう制御信号対応処理Ｔでは、まず、ステップＳ２２０の処理が行なわれる。
【０２１８】
ステップＳ２２０では、制御部６１０が、制御信号としてのリモコン信号を受信したか否かを判定する。ステップＳ２２０において、ＹＥＳならば、ステップＳ２２２に進む。一方、ステップＳ２２０において、ＮＯならば、再度、ステップＳ２２０の処理が行なわれる。ここでは、一例として、方向ボタン５４１Ａの名称である「上方向ボタン」の情報を含んだリモコン信号を受信したとする。
【０２１９】
ステップＳ２２２では、制御信号対応処理が行なわれる。制御信号対応処理では、制御部６１０が、受信したリモコン信号に応じた処理を行なう。たとえば、表示部６３０に図１５の操作ガイダンス表示画像Ｇ１００が表示されているときに、「上方向ボタン」の情報を含んだリモコン信号を受信した場合、制御部６１０は、ＶＤＰ５３２を利用して、コンテンツとしてのＴＶ画像を一時停止させて、表示部６３０に静止画像を表示する。ステップＳ２２２の処理が終了すると、再度、ステップＳ２２０の処理が行なわれる。
【０２２０】
ここで、たとえば、ステップＳ２１０で判定されたボタン操作が、操作画像ＭＧ１００Ａに配置されているボタン画像ＭＢＧ１１０を押下操作するためのインターフェース操作Ｍであるとする。この場合、ステップＳ２１２の処理において、制御信号としての電源リモコン信号が、映像表示装置６００へ送信される。そして、制御部６１０は、電源リモコン信号を受信することにより、映像表示装置６００を待機モードに設定する。
【０２２１】
また、たとえば、ステップＳ２１０で判定されたボタン操作が、操作画像ＭＧ１００Ａに配置されているボタン画像ＭＢＧ１４２を押下操作するためのインターフェース操作Ｍであるとする。この場合、ステップＳ２１２の処理において、制御信号としての音量アップリモコン信号が、映像表示装置６００へ送信される。そして、制御部６１０は、音量アップリモコン信号を受信することにより、音声出力部６７０から出力されている、表示部６３０に表示されているコンテンツのとしてのＴＶ画像の音声の音量を大きくする処理を行なう。
【０２２２】
以上の処理により、通信端末装置５００は、他の装置から送信されたプログラムを実行することにより、他の装置を制御することが可能となる。ここで、他の装置は、一例として、映像表示装置６００である。
【０２２３】
また、本実施の形態では、通信端末装置５００が映像表示装置６００とデータ通信可能となった場合、映像表示装置６００を操作するための、アイコンとしてのボタン画像ＭＢＧ２１０を、表示部５３０に表示する。
【０２２４】
したがって、ユーザは、表示された、表示要素としてのボタン画像ＭＢＧ２１０に対して、指示入力としての押下操作を行なうだけで、映像表示装置６００が待機モードであっても、映像表示装置６００を通常モードにすることができ、映像表示装置６００を操作可能となる。その結果、多くの手間をかけることなく、他の装置を操作することを実現することができるという効果を奏する。
（映像表示装置６００が待機モードに移行した場合の処理）
次に、通信端末装置５００におけるボタン操作により、制御信号としての電源リモコン信号が、映像表示装置６００へ送信され、通常モードの映像表示装置６００が、電源リモコン信号を受信することにより、待機モードに移行する場合の処理（以下、待機モード移行時処理ともいう）について説明する。
【０２２５】
図１７は、待機モード移行時処理のフローチャートである。図１７では、通信端末装置５００および映像表示装置６００の各々において行なわれる処理を示す。待機モード移行時処理において、通信端末装置５００および映像表示装置６００の各々において行なわれる処理は、他の処理とは独立して行なわれる処理である。
【０２２６】
図１７を参照して、映像表示装置６００では、まず、ステップＳ３２０の処理が行なわれる。
【０２２７】
ステップＳ３２０では、制御部６１０が、通信端末装置５００から、制御信号としての電源リモコン信号を受信したか否かを判定する。ステップＳ３２０において、ＹＥＳならば、ステップＳ３２１に進む。一方、ステップＳ３２０において、ＮＯならば、再度、ステップＳ３２０の処理が行なわれる。ここでは、電源リモコン信号を受信したとして、ステップＳ３２１に進む。
【０２２８】
ステップＳ３２１では、制御部６１０が、コンテンツ情報Ｔを、電源リモコン信号を送信した装置へ送信する。ここで、電源リモコン信号を送信した装置は、通信端末装置５００である。したがって、制御部６１０は、コンテンツ情報Ｔを、通信端末装置５００へ送信する。
【０２２９】
コンテンツ情報Ｔは、コンテンツ特定情報Ｔと、コンテンツ音量情報Ｔとを含む。コンテンツ特定情報Ｔは、表示部６３０に表示されているコンテンツを特定するための情報である。コンテンツ音量情報Ｔは、表示部６３０に表示されているコンテンツの音声の音量値を示す情報である。表示部６３０に表示されているコンテンツの音声の音量値は、たとえば、“０”〜“２０”の数値で表現されるとする。音量値が“０”の場合、表示部６３０に表示されているコンテンツの音声の音量がゼロであることを示す。
【０２３０】
ここで、表示部６３０には、放送信号に基づく３チャンネルのＴＶ画像が表示されているとする。この場合、表示部６３０に表示されているコンテンツは、３チャンネルのＴＶ画像となる。したがって、コンテンツ特定情報Ｔは、３チャンネルを示す情報となる。また、表示部６３０に表示されているＴＶ画像の音声の音量値は、一例として、“１０”であるとする。したがって、コンテンツ音量情報Ｔは、音量値“１０”を示す情報である。
【０２３１】
なお、表示部６３０に、サービスサーバ８００Ａから受信したコンテンツに基づくコンテンツ画像が表示されている場合は、受信したコンテンツを特定するための識別情報がコンテンツ特定情報Ｔとなる。また、コンテンツ画像の音声の音量値が、コンテンツ音量情報Ｔとなる。
【０２３２】
また、送信されるコンテンツ情報Ｔには、さらに、送信先の装置の装置ＩＤと、自装置の装置ＩＤとが含まれる。自装置の装置ＩＤが“１１ＴＡ”であり、送信先の装置ＩＤが“１１ＭＡ”である場合、送信されるにコンテンツ情報Ｔは、自装置の装置ＩＤ“１１ＴＡ”と、送信先の装置ＩＤ“１１ＭＡ”とを含む。その後、ステップＳ３２１の処理は終了する。
【０２３３】
通信端末装置５００では、まず、ステップＳ３１０の処理が行なわれる。
ステップＳ３１０では、制御部５１０が、自装置の装置ＩＤを含むコンテンツ情報Ｔを受信したか否かを判定する。ステップＳ３１０において、ＹＥＳならば、ステップＳ３１１に進む。一方、ステップＳ３１０において、ＮＯならば、再度、ステップＳ３１０の処理が行なわれる。ここでは、自装置の装置ＩＤ（“１１ＭＡ”）と、映像表示装置６００の装置ＩＤ（“１１ＴＡ”）とを含むコンテンツ情報Ｔを受信したとして、ステップＳ３１１に進む。
【０２３４】
ステップＳ３１１では、制御部５１０が、受信したコンテンツ情報Ｔを、コンテンツ情報Ｔに含まれる、コンテンツ情報Ｔを送信した装置（映像表示装置６００）の装置ＩＤ（“１１ＴＡ”）に対応付けて記憶部５２０に記憶させる。その後、ステップＳ３１２に進む。
【０２３５】
ステップＳ３１２では、コンテンツ表示継続確認処理が行なわれる。コンテンツ表示継続確認処理では、制御部５１０が、ＶＤＰ５３２を利用して、以下の表示継続確認画像ＭＧ３００を生成し、表示継続確認画像ＭＧ３００を表示部５３０に表示させる。表示継続確認画像ＭＧ３００は、映像表示装置６００の表示部６３０に表示されていたコンテンツを、表示部６３０に継続して表示させるか確認するための画像である。そして、ステップＳ３１２の処理は終了する。
【０２３６】
図１８は、一例としての表示継続確認画像ＭＧ３００を示す図である。図１８を参照して、表示継続確認画像ＭＧ３００には、映像表示装置６００で表示されていたコンテンツを自装置で表示するか確認するためのメッセージが表示される。当該メッセージは、たとえば、「映像表示装置で表示されていたコンテンツを自装置でも表示しますか？」である。
【０２３７】
表示継続確認画像ＭＧ３００には、さらに、ボタン画像ＭＧ３５０が配置される。
ボタン画像ＭＧ３５０は、インターフェース操作Ｍにより押下操作されることにより、映像表示装置６００で表示されていたコンテンツを自装置で表示する処理を行なうための画像である。
【０２３８】
再び、図１７を参照して、ステップＳ３１２の処理の後、ステップＳ３１３に進む。
ステップＳ３１３では、制御部５１０が、継続表示操作があるか否かを判定する。継続表示操作は、ボタン画像ＭＧ３５０を押下操作するためのインターフェース操作Ｍである。ステップＳ３１３において、ＹＥＳならば、ステップＳ３１４に進む。一方、ステップＳ３１３において、ＮＯならば、再度、ステップＳ３１３の処理が行なわれる。ここでは、継続表示操作があったとして、ステップＳ３１４に進む。 
【０２３９】
ステップＳ３１４では、コンテンツ表示処理Ｍが行なわれる。コンテンツ表示処理Ｍでは、制御部５１０が、ＶＤＰ５３２を利用して、受信したコンテンツ情報Ｔに含まれるコンテンツ特定情報Ｔに基づくコンテンツを表示部５３０に表示させる。また、制御部５１０は、表示部５３０に表示させたコンテンツの音声を、受信したコンテンツ情報Ｔに含まれるコンテンツ音量情報Ｔが示す音量値に基づく音量で、音声出力部５７２から出力させる。
【０２４０】
ここで、表示部５３０に表示される、コンテンツ特定情報Ｔに基づくコンテンツは、放送信号に基づく３チャンネルのＴＶ画像である。
【０２４１】
また、コンテンツ音量情報Ｔが示す音量値は、“１０”である。そのため、音声出力部５７２から出力される、表示部５３０に表示させたコンテンツの音声の音量は、コンテンツ音量情報Ｔが示す音量値“１０”に基づく音量となる。
【０２４２】
なお、表示部５３０に表示させたコンテンツの音声の音量値は、コンテンツ音量情報Ｔが示す音量値“１０”と同じでなくてもよい。この場合、映像表示装置６００の音声出力部６７０から出力される音声の音量に対し、通信端末装置５００の音声出力部５７２から出力される音声の音量が、Ｌ（０より大きく、かつ、１未満の整数（たとえば、０．５））倍となるように、コンテンツ音量情報Ｔが示す音量値に基づいて、通信端末装置５００の音声出力部５７２から出力される音量が制御部５１０により設定される。
【０２４３】
なお、コンテンツ特定情報Ｔが、サービスサーバ８００Ａから受信したコンテンツを識別するための情報である場合、制御部５１０は、サービスサーバ８００Ａから、コンテンツ特定情報Ｔにより特定されるコンテンツを受信し、表示部６３０に受信したコンテンツを表示させる。また、この場合、制御部５１０は、コンテンツ音量情報Ｔが示す音量値“１０”に基づく音量で、表示部５３０に表示されているコンテンツの音声を、音声出力部５７２から出力させる。そして、ステップＳ３１４の処理は終了し、この待機モード移行時処理における通信端末装置５００の処理は終了する。
【０２４４】
その後、通信端末装置５００の表示部５３０に、図１２の装置認識画像ＭＧ２００が表示されるように処理が行なわれると、再度、簡単な操作で映像表示装置６００の画像表示電源をＯＮの状態にし、映像表示装置６００を通信端末装置５００でコントロールできるようになる。
【０２４５】
映像表示装置６００では、ステップＳ３２１の処理の後、ステップＳ３２２に進む。
ステップＳ３２２では、待機モード設定処理が行なわれる。待機モード設定処理では、制御部６１０が、前述の画像表示電源をオフにし、映像表示装置６００を待機モードにする。これにより、表示部６３０に画像が表示されなくなる。そして、この待機モード移行時処理における映像表示装置６００の処理は終了する。
【０２４６】
以上の処理により、簡易な操作で、映像表示装置６００の表示部６３０で表示しているコンテンツを、通信端末装置５００の表示部５３０に表示させることができる。したがって、映像表示装置６００で視聴していたコンテンツの続きを、外出先等で手軽に視聴することが可能となる。
【０２４７】
また、映像表示装置６００で表示しているコンテンツの音量値を、通信端末装置５００で表示させているコンテンツに引き継ぐことができる。そのため、音量値を調整するといった手間が不要となるという効果が得られる。
（複数種類の装置から接続信号を受信した場合）
通信端末装置５００は、前述したように、図１０のステップＳ１１０の処理において、映像表示装置６００のみから接続信号を受信するのではなく、複数種類の装置から接続信号を受信してもよい。たとえば、映像表示装置６００およびＨＤＤレコーダの各々から接続信号を受信した場合、図１０のステップＳ１１１の装置認識処理により、表示部５３０には、以下の装置認識画像ＭＧ２００Ａが表示される。なお、ＨＤＤレコーダは、自装置の装置ＩＤ“１１ＨＤＲ”を含む接続信号を、映像表示装置６００と同様に、通信端末装置５００へ送信したとする。
【０２４８】
図１９は、一例としての装置認識画像ＭＧ２００Ａを示す図である。図１９を参照して、装置認識画像ＭＧ２００Ａは、図１２の装置認識画像ＭＧ２００と比較して、ＴＶ画像内に、アイコンとしてのボタン画像ＭＢＧ２２０がさらに配置される点が異なる。それ以外は、装置認識画像ＭＧ２００と同様なので詳細な説明は繰り返さない。
【０２４９】
ボタン画像ＭＢＧ２２０には、制御部５１０が認識した装置名が表示される。また、ボタン画像ＭＢＧ２２０は、インターフェース操作Ｍにより、押下処理されることで、制御信号としての制御開始信号を、装置名に対応する装置ＩＤの装置へ送信するためのボタン画像である。制御開始信号は、待機モードである装置を通常モードにするための信号である。ここで、ボタン画像ＭＢＧ２２０に表示される装置名は、「ＨＤＤレコーダ」なので、図１１の装置特定データＤ１００より、対応する装置ＩＤは、“１１ＨＤＲ”となり、制御開始信号は、ボタン画像ＭＢＧ２２０の押下処理により、ＨＤＤレコーダへ送信される。
【０２５０】
そして、ＨＤＤレコーダにおいて、前述した図１０のステップＳ１２１以降の処理と同様な処理が行なわれ、通信端末装置５００が、ＨＤＤレコーダ操作プログラムを受信し、前述したステップＳ１１５と同様な処理を行なうことにより、通信端末装置５００が、ＨＤＤレコーダを操作可能な状態となる。
【０２５１】
上記処理により、１台の装置で、複数種類の装置のうち、ユーザの所望の装置を迅速に操作することができるという効果を奏する。
（機能ブロック図）
図２０は、本実施の形態における制御部５１０の機能ブロック図である。図２０を参照して、制御部５１０は、通信判定部５１１と、送信部５１２とを含む。通信判定部５１１は、前述した、図１０のステップＳ１１０の処理を行なう。すなわち、通信判定部５１１は、映像表示装置６００とデータ通信可能であるか否かを判定する。通信判定部５１１の判定結果は、送信部５１２へ送信される。
【０２５２】
送信部５１２は、表示部５３０に表示された表示要素に対する指示入力を受付けた場合、映像表示装置６００を操作するための制御信号を、映像表示装置６００へ送信する。
【０２５３】
なお、制御部５１０に含まれる、通信判定部５１１および送信部５１２の全てまたは一部は、ハードウエアで構成されてもよい。
【０２５４】
図２１は、本実施の形態における制御部６１０の機能ブロック図である。図２１を参照して、制御部６１０は、送信部６１２と、受信部６１３と、実行部６１４とを含む。
【０２５５】
送信部６１２は、自装置である映像表示装置６００とデータ通信可能となるための接続信号を通信端末装置５００へ送信する。受信部６１３は、通信端末装置５００から送信された、映像表示装置６００を操作するための制御信号を受信する。実行部６１４は、受信した制御信号に対応する処理を実行する。
【０２５６】
なお、制御部６１０に含まれる、送信部６１２、受信部６１３および実行部６１４の全てまたは一部は、ハードウエアで構成されてもよい。
【０２５７】
＜第２の実施の形態＞
本実施の形態では、通信端末装置５００および映像表示装置６００の各々で別々のメニューを表示するための処理について説明する。
【０２５８】
本実施の形態におけるネットワークシステムは、第１の実施の形態におけるネットワークシステム１０００と同様なので詳細な説明は繰り返さない。通信端末装置５００、映像表示装置６００およびサービスサーバ８００Ａの各々の構成は、第１の実施の形態において、説明した構成と同様なので詳細な説明は繰り返さない。
（メニュー表示）
次に、通信端末装置５００および映像表示装置６００の各々がメニューを表示するための処理（以下、メニュー表示処理ともいう）について説明する。なお、通信端末装置５００の表示部５３０には、図９のリモコン画像ＭＧ１００が表示されているとする。この場合、通信端末装置５００は、リモコンモードに設定されているとする。
【０２５９】
図２２は、メニュー表示処理のフローチャートである。図２２では、通信端末装置５００、映像表示装置６００、サービスサーバ８００Ａの各々において行なわれる処理を示す。図２２を参照して、通信端末装置５００では、まず、ステップＳ４１０の処理が行なわれる。
【０２６０】
ステップＳ４１０では、制御部５１０が、メニュー取得操作があるか否かを判定する。メニュー取得操作とは、サービスサーバ８００Ａから取得可能なコンテンツの一覧メニューを表示部５３０に表示させるための操作である。具体的には、メニュー取得操作は、図９のボタン画像ＭＢＧ１３０を押下処理するためのインターフェース操作Ｍである。ステップＳ４１０において、ＹＥＳならば、ステップＳ４１１に進む。一方、ステップＳ４１０において、ＮＯならば、再度、ステップＳ４１０の処理が行なわれる。
【０２６１】
ステップＳ４１１では、メニュー取得処理が行なわれる。メニュー取得処理では、まず、制御部５１０が、メニュー取得要求としてのメニュー取得リモコン信号を、通信部５６０を利用して、映像表示装置６００へ送信する。メニュー取得リモコン信号は、サービスサーバ８００Ａから取得可能なコンテンツの一覧メニューを、映像表示装置６００に取得させるためのリモコン信号である。その後、ステップＳ４１１の処理は終了する。
【０２６２】
映像表示装置６００では、まず、ステップＳ４２０の処理が行なわれる。
ステップＳ４２０では、制御部６１０が、メニュー取得要求としてのメニュー取得リモコン信号を受信したか否かを判定する。ステップＳ４２０において、ＹＥＳならば、ステップＳ４２１に進む。一方、ステップＳ４２０において、ＮＯならば、再度、ステップＳ４２０の処理が行なわれる。
【０２６３】
ステップＳ４２１では、メニュー取得処理Ｔが行なわれる。メニュー取得処理Ｔでは、まず、制御部６１０が、通信部６６２を利用して、サービスサーバ８００Ａから取得可能なコンテンツの一覧メニューを取得するためのメニュー取得要求Ｔを、サービスサーバ８００Ａへ送信する。
【０２６４】
サービスサーバ８００Ａでは、まず、ステップＳ４４０の処理が行なわれる。
ステップＳ４４０では、制御部８１０が、メニュー取得要求Ｔを受信したか否かを判定する。ステップＳ４４０において、ＹＥＳならば、ステップＳ４４１に進む。一方、ステップＳ４４０において、ＮＯならば、再度、ステップＳ４４０の処理が行なわれる。
【０２６５】
ステップＳ４４１では、制御部８１０が、メニュー取得要求Ｔを送信した装置に対し、配信可能なコンテンツのジャンルの一覧メニューのデータである、以下のメニューデータＤ３００を送信する。その後、ステップＳ４４１の処理は終了し、再度、ステップＳ４４０の処理が行なわれる。
【０２６６】
図２３は、一例としてのメニューデータＤ３００を示す図である。図２３を参照して、メニューデータＤ３００は、複数のジャンル情報から構成される。「番号」とは、複数のジャンル情報の各々を管理するための番号であり、リモコン番号に対応する。「ジャンルＩＤ」とは、コンテンツのジャンルを特定するためのＩＤである。「ジャンル名」とは、対応するコンテンツのジャンル名を示す。
【０２６７】
再び、図２２を参照して、映像表示装置６００では、ステップＳ４２１のメニュー取得処理Ｔにおいて、制御部６１０が、メニューデータＤ３００を受信する。制御部６１０は、メニューデータＤ３００を受信すると、記憶部６２０にメニューデータＤ３００を記憶させる。そして、制御部６１０が、メニューデータＤ３００に基づいて、ＶＤＰ６３２を利用して、以下のメニュー画像Ｇ２００を生成し、生成したメニュー画像Ｇ２００を表示部６３０に表示させる。その後、ステップＳ４２１の処理は終了する。
【０２６８】
以下においては、メニューデータＤ３００に基づいて生成された画像を、上位階層メニュー画像ともいう。したがって、メニュー画像Ｇ２００は、上位階層メニュー画像である。メニュー画像Ｇ２００は、情報としての複数のジャンルのいずかを選択するための画像である。
【０２６９】
図２４は、一例としてのメニュー画像Ｇ２００を示す図である。図２４を参照して、メニュー画像Ｇ２００には、ボタン画像ＢＧ２１１，ＢＧ２１２，ＢＧ２１３，ＢＧ２１４，ＢＧ２１５，ＢＧ２１６，ＢＧ２１７，ＢＧ２１８，ＢＧ２１９，ＢＧ２２０，ＢＧ２２１，ＢＧ２２２が配置される。ボタン画像ＢＧ２１１，ＢＧ２１２，ＢＧ２１３，ＢＧ２１４，ＢＧ２１５，ＢＧ２１６，ＢＧ２１７，ＢＧ２１８，ＢＧ２１９，ＢＧ２２０，ＢＧ２２１，ＢＧ２２２の各々には、コンテンツのジャンルが表示される。
【０２７０】
ボタン画像ＢＧ２１１，ＢＧ２１２，ＢＧ２１３，ＢＧ２１４，ＢＧ２１５，ＢＧ２１６，ＢＧ２１７，ＢＧ２１８，ＢＧ２１９，ＢＧ２２０，ＢＧ２２１，ＢＧ２２２の各々は、対応するジャンルのサブメニューを、サービスサーバ８００Ａから取得するためのボタン画像である。
【０２７１】
また、メニュー画像Ｇ２００には、選択枠ＳＲ２５０が、一例として、ボタン画像ＢＧ２１５を囲むように配置される。選択枠ＳＲ２５０に囲まれているボタン画像は、選択状態のボタン画像である。なお、初期状態の選択枠ＳＲ２５０の配置位置は、ボタン画像ＢＧ２１５を囲む位置に限定されることなく、他のボタン画像を囲む位置であってもよい。
【０２７２】
また、メニュー画像Ｇ２００には、操作ガイダンス画像Ｇ２７０が配置される。操作ガイダンス画像Ｇ２７０には、映像表示装置６００を、通信端末装置５００により操作するための操作ガイダンス情報が表示される。操作ガイダンス情報は、一例として、「方向ボタンの押下処理により、ジャンルを選択できます。決定ボタンの押下処理により、選択状態のジャンルのサブメニューを表示します。」というメッセージ情報である。
【０２７３】
ここで、方向ボタンとは、通信端末装置５００の方向ボタン５４１Ａ，５４１Ｂ，５４１Ｃ，５４１Ｄである。決定ボタンとは、通信端末装置５００の決定ボタン５４１Ｅである。なお、操作ガイダンス情報に含まれる「方向ボタン」および「決定ボタン」という文字列は、アイコン等の画像であってもよい。たとえば、方向ボタン５４１Ａ，５４１Ｂ，５４１Ｃ，５４１Ｄは、それぞれ、上，下，左，右の方向を示す矢印のマークのアイコンによって示されてもよい。
【０２７４】
再び、図２２を参照して、ステップＳ４２１の処理の後、ステップＳ４２８に進む。
ステップＳ４２８では、制御部６１０が、通信端末装置５００から送信されたリモコン信号に対応する処理を行なうための後述する制御信号対応処理ＴＡを実行する。制御信号対応処理ＴＡは、他の処理とは独立して行なわれる処理である。そして、ステップＳ４２８の処理は終了し、メニュー表示処理における映像表示装置６００の処理は終了する。
【０２７５】
通信端末装置５００では、ステップＳ４１１の処理の後、ステップＳ４１８に進む。
ステップＳ４１８では、制御部５１０が、操作判定処理ＭＡを実行する。操作判定処理ＭＡは、他の処理とは独立して行なわれる処理である。そして、ステップＳ４１８の処理は終了し、メニュー表示処理における通信端末装置５００の処理は終了する。
【０２７６】
図２５は、操作判定処理ＭＡおよび制御信号対応処理ＴＡのフローチャートである。図２５を参照して、通信端末装置５００が行なう操作判定処理ＭＡでは、まず、ステップＳ５１０の処理が行なわれる。
【０２７７】
ステップＳ５１０では、制御部５１０が、表示部５３０に対するタッチ操作があるか否かを判定する。タッチ操作とは、表示部５３０に表示されている画像内のハイパーリンク文字列またはボタン画像等を押下処理するためのインターフェース操作Ｍである。ステップＳ５１０において、ＹＥＳならば、ステップＳ５１１に進む。一方、ステップＳ５１０において、ＮＯならば、ステップＳ５１４に進む。
【０２７８】
ステップＳ５１１では、タッチ操作対応処理Ｍが行なわれる。タッチ操作対応処理Ｍでは、タッチ操作に基づく処理が行なわれる。なお、タッチ操作対応処理Ｍにおける詳細な処理は後述する。タッチ操作対応処理Ｍが終了すると、ステップＳ５１４に進む。
【０２７９】
ステップＳ５１４では、制御部５１０が、ボタン操作があるか否かを判定する。ボタン操作とは、通信端末装置５００の外部に設けられた複数の外部ボタンのいずれかの押下操作である。複数の外部ボタンは、方向ボタン５４１Ａ，５４１Ｂ，５４１Ｃ，５４１Ｄ、決定ボタン５４１Ｅ、機能ボタン５４２Ａ，５４２Ｂ，５４３Ａ，５４３Ｂである。ステップＳ５１４において、ＹＥＳならば、ステップＳ５１５に進む。一方、ステップＳ５１４において、ＮＯならば、再度、ステップＳ５１０の処理が行なわれる。
【０２８０】
ステップＳ５１５では、制御部５１０が、通信部５６０を利用して、押下操作された外部ボタンに対応する制御信号としてのリモコン信号を、映像表示装置６００へ送信する。ボタン操作が、たとえば、方向ボタン５４１Ｂを押下する操作である場合、送信されるリモコン信号は、方向ボタン５４１Ｂの名称である「下方向ボタン」の情報を含んだリモコン信号となる。ステップＳ５１５の処理が終了すると、再度、ステップＳ５１０の処理が行なわれる。
【０２８１】
映像表示装置６００が行なう制御信号対応処理ＴＡでは、まず、ステップＳ５２０の処理が行なわれる。
【０２８２】
ステップＳ５２０では、制御部６１０が、制御信号としてのリモコン信号を受信したか否かを判定する。ステップＳ５２０において、ＹＥＳならば、ステップＳ５２１に進む。一方、ステップＳ５２０において、ＮＯならば、再度、ステップＳ５２０の処理が行なわれる。ここでは、一例として、方向ボタン５４１Ｂの名称である「下方向ボタン」の情報を含んだリモコン信号を受信したとして、ステップＳ５２１に進む。
【０２８３】
ステップＳ５２１では、制御信号対応処理が行なわれる。制御信号対応処理では、制御部６１０が、受信したリモコン信号に応じた処理を行なう。たとえば、表示部６３０に、図２４のメニュー画像Ｇ２００が表示されており、選択枠ＳＲ２５０が、ボタン画像ＢＧ２１５を囲む位置に配置されている場合、制御部６１０は、選択枠ＳＲ２５０を、ボタン画像ＢＧ２１８を囲む位置に移動させた画像を、表示部６３０に表示させる。すなわち、ボタン画像ＢＧ２１８を選択状態とする。制御信号対応処理が終了すると、再度、ステップＳ５２０の処理が行なわれる。
【０２８４】
したがって、操作判定処理ＭＡおよび制御信号対応処理ＴＡにより、選択状態のボタン画像は、通信端末装置５００の方向ボタン５４１Ａ，５４１Ｂ，５４１Ｃ，５４１Ｄの操作により変化する。具体的には、通信端末装置５００の方向ボタン５４１Ａ，５４１Ｂ，５４１Ｃ，５４１Ｄの操作があると、前述したステップＳ５１５の処理により、対応するリモコン信号が、映像表示装置６００へ送信される。映像表示装置６００の制御部６１０は、ＶＤＰ６３２を利用して、受信したリモコン信号に基づいて、選択枠ＳＲ２５０を、上，下，左，右のいずれかに移動させた状態の画像を生成する。この場合、制御部６１０が受信したリモコン信号は、映像表示装置６００を操作するための制御信号である。
（サブメニュー表示）
次に、映像表示装置６００の表示部６３０に、図２４のメニュー画像Ｇ２００が表示されているときに、通信端末装置５００において、サブメニュー取得操作があった場合の処理について説明する。
【０２８５】
サブメニュー取得操作とは、図２４のメニュー画像Ｇ２００に表示される、ボタン画像ＢＧ２１１，ＢＧ２１２，ＢＧ２１３，ＢＧ２１４，ＢＧ２１５，ＢＧ２１６，ＢＧ２１７，ＢＧ２１８，ＢＧ２１９，ＢＧ２２０，ＢＧ２２１，ＢＧ２２２のうち、ボタン画像が選択状態となっているときに、通信端末装置５００において決定ボタン５４１Ｅを押下する操作である。
【０２８６】
ここでは、一例として、ボタン画像ＢＧ２１５が選択状態であるときに、サブメニュー取得操作があったとする。この場合、図２５の操作判定処理ＭＡのステップＳ５１４において、ＹＥＳと判定され、ステップＳ５１５の処理が行なわれる。
【０２８７】
ステップＳ５１５では、前述した処理が行なわれるので詳細な説明は繰り返さない。この処理により、制御部５１０が、決定ボタン５４１Ｅの名称である「決定ボタン」の情報を含んだリモコン信号（以下、決定リモコン信号ともいう）が、映像表示装置６００へ送信される。
【０２８８】
映像表示装置６００では、制御信号対応処理ＴＡのステップＳ５２０において、ＹＥＳと判定されステップＳ５２１の処理が行なわれる。
【０２８９】
ステップＳ５２１では、制御信号対応処理が行なわれる。ここで、制御部６１０は、ボタン画像ＢＧ２１５が選択状態であるときに、決定リモコン信号を受信することになる。すなわち、通信端末装置５００が映像表示装置６００へ送信する決定リモコン信号は、スポーツというジャンル情報を表示するボタン画像ＢＧ２１５を選択するための選択信号である。すなわち、決定リモコン信号は、ジャンル情報を選択するための選択信号である。
【０２９０】
この場合、制御信号対応処理では、制御部６１０が、選択状態であるボタン画像に対応するジャンルのサブメニューを、サービスサーバ８００Ａから取得するためのサブメニュー取得処理Ｔを行なう。ここで、選択状態であるボタン画像は、ボタン画像ＢＧ２１５であるとする。
【０２９１】
図２６は、通信端末装置５００が行なう処理と、サブメニュー取得処理Ｔと、サービスサーバ８００Ａが行なう処理とのフローチャートを示す図である。なお、図２６の通信端末装置５００およびサービスサーバ８００Ａが行なう処理は、他の処理とは独立して行なわれる。
【０２９２】
図２６を参照して、映像表示装置６００が行なうサブメニュー取得処理Ｔでは、まず、ステップＳ６２０の処理が行なわれる。
【０２９３】
ステップＳ６２０では、制御部６１０が、サブメニュー取得要求Ｔをサービスサーバ８００Ａへ送信する。サブメニュー取得要求Ｔは、選択状態のボタン画像に対応するジャンルのサブメニューをサービスサーバ８００Ａから取得するための要求である。サブメニュー取得要求Ｔには、選択状態のボタン画像に対応するジャンルを特定するためのジャンルＩＤが含まれる。ここで、選択状態のボタン画像は、ボタン画像ＢＧ２１５であり、対応するジャンルは「スポーツ」である。そのため、図２３のメニューデータＤ３００より、サブメニュー取得要求Ｔに含まれるジャンルＩＤは、“ＰＧ１２３８”となる。その後、ステップＳ６２０の処理は終了する。
【０２９４】
サービスサーバ８００Ａが行なう処理では、まず、ステップＳ６４０の処理が行なわれる。
【０２９５】
ステップＳ６４０では、制御部８１０が、サブメニュー取得要求Ｔを受信したか否かを判定する。ステップＳ６４０において、ＹＥＳならば、ステップＳ６４１の処理が行なわれる。一方、ステップＳ６４０において、ＮＯならば、再度、ステップＳ６４０の処理が行なわれる。ここでは、ジャンルＩＤ“ＰＧ１２３８”を含むサブメニュー取得要求Ｔを受信したとして、ステップＳ６４１に進む。
【０２９６】
ステップＳ６４１では、制御部８１０が、サブメニュー取得要求Ｔを送信した装置に対し、サブメニュー取得要求Ｔに含まれるジャンルＩＤに対応するサブメニューデータを送信する。サブメニューデータは、サービスサーバ８００Ａが配信可能なコンテンツの一覧メニューのデータである。サブメニュー取得要求Ｔに含まれるジャンルＩＤは、“ＰＧ１２３８”であり、対応するジャンルは、「スポーツ」である。したがって、送信されるサブメニューデータは、以下のサブメニューデータＤ３００ＳＢとなる。その後、ステップＳ６４１の処理は終了し、再度、ステップＳ６４０の処理が行なわれる。
【０２９７】
図２７は、一例としてのサブメニューデータＤ３００ＳＢを示す図である。図２７を参照して、サブメニューデータＤ３００ＳＢは、複数のコンテンツ情報から構成される。「番号」とは、複数のコンテンツ情報の各々を管理するための番号である。「番組ＩＤ」とは、コンテンツを特定するためのＩＤである。「タイトル」とは、対応するコンテンツのタイトルを示す。
【０２９８】
再び、図２６を参照して、映像表示装置６００では、ステップＳ６２０の処理の後、ステップＳ６２１に進む。
【０２９９】
ステップＳ６２１では、サブメニュー表示処理Ｔが行なわれる。サブメニュー表示処理Ｔでは、制御部６１０が、サブメニューデータを受信する。ここで、受信されるサブメニューデータは、サブメニューデータＤ３００ＳＢであるとする。制御部６１０は、サブメニューデータＤ３００ＳＢを受信すると、記憶部６２０にサブメニューデータＤ３００ＳＢを記憶させる。そして、制御部６１０が、サブメニューデータＤ３００ＳＢに基づいて、ＶＤＰ６３２を利用して、以下のサブメニュー画像Ｇ３００を生成し、生成したサブメニュー画像Ｇ３００を表示部６３０に表示させる。すなわち、表示部６３０には、メニュー画像Ｇ２００に代えてサブメニュー画像Ｇ３００が表示される。その後、ステップＳ６２１の処理は終了する。
【０３００】
以下においては、サブメニューデータＤ３００ＳＢに基づいて生成された画像を、下位階層メニュー画像ともいう。したがって、サブメニュー画像Ｇ３００は、下位階層メニュー画像である。下位階層メニュー画像は、上位階層メニュー画像に表示される複数の情報（たとえば、ジャンル）のうち、選択された情報に対応する、複数種類の情報（たとえば、コンテンツのタイトル）のいずれかを選択するための画像である。
【０３０１】
図２８は、一例としてのサブメニュー画像Ｇ３００を示す図である。図２８を参照して、サブメニュー画像Ｇ３００には、ボタン画像ＢＧ３１１，ＢＧ３１２，ＢＧ３１３，ＢＧ３１４，ＢＧ３１５，ＢＧ３１６，ＢＧ３１７，ＢＧ３１８，ＢＧ３１９，ＢＧ３２０，ＢＧ３２１，ＢＧ３２２が配置される。ボタン画像ＢＧ３１１，ＢＧ３１２，ＢＧ３１３，ＢＧ３１４，ＢＧ３１５，ＢＧ３１６，ＢＧ３１７，ＢＧ３１８，ＢＧ３１９，ＢＧ３２０，ＢＧ３２１，ＢＧ３２２の各々には、図２７のサブメニューデータＤ３００ＳＢの複数のコンテンツ情報に基づいた、コンテンツのタイトルが表示される。
【０３０２】
ボタン画像ＢＧ３１１，ＢＧ３１２，ＢＧ３１３，ＢＧ３１４，ＢＧ３１５，ＢＧ３１６，ＢＧ３１７，ＢＧ３１８，ＢＧ３１９，ＢＧ３２０，ＢＧ３２１，ＢＧ３２２の各々は、対応するコンテンツを、サービスサーバ８００Ａから取得するためのボタン画像である。
【０３０３】
また、サブメニュー画像Ｇ３００には、選択枠ＳＲ３５０が、一例として、ボタン画像ＢＧ３１５を囲むように配置される。選択枠ＳＲ３５０に囲まれているボタン画像は、選択状態のボタン画像である。なお、初期状態の選択枠ＳＲ３５０の配置位置は、ボタン画像ＢＧ３１５を囲む位置に限定されることなく、他のボタン画像を囲む位置であってもよい。
【０３０４】
また、サブメニュー画像Ｇ３００には、操作ガイダンス画像Ｇ３７０が配置される。操作ガイダンス画像Ｇ３７０には、映像表示装置６００を、通信端末装置５００により操作するための操作ガイダンス情報が表示される。操作ガイダンス情報は、一例として、「方向ボタンの押下処理により、再生するコンテンツを選択できます。決定ボタンの押下処理により、選択状態のコンテンツを再生します。」というメッセージ情報である。
【０３０５】
ここで、方向ボタンとは、通信端末装置５００の方向ボタン５４１Ａ，５４１Ｂ，５４１Ｃ，５４１Ｄである。決定ボタンとは、通信端末装置５００の決定ボタン５４１Ｅである。なお、操作ガイダンス情報に含まれる「方向ボタン」および「決定ボタン」という文字列は、アイコン等の画像であってもよい。たとえば、方向ボタン５４１Ａ，５４１Ｂ，５４１Ｃ，５４１Ｄは、それぞれ、上，下，左，右の方向を示す矢印のマークのアイコンによって示されてもよい。
【０３０６】
なお、サブメニュー画像Ｇ３００は、ＥＰＧデータに基づいて生成された電子番組表が表示された画像であってもよい。この場合、ボタン画像ＢＧ３１１，ＢＧ３１２，ＢＧ３１３，ＢＧ３１４，ＢＧ３１５，ＢＧ３１６，ＢＧ３１７，ＢＧ３１８，ＢＧ３１９，ＢＧ３２０，ＢＧ３２１，ＢＧ３２２の各々は、コンテンツとしての番組の動画像を取得するためのボタン画像となる。この場合、ボタン画像ＢＧ３１１〜ＢＧ３２２は、それぞれ、たとえば、１〜１２チャンネルの放送番組を取得するためのボタン画像となる。
【０３０７】
なお、表示部６３０にサブメニュー画像Ｇ３００が表示されている場合、前述の図２５の操作判定処理ＭＡおよび制御信号対応処理ＴＡにより、選択状態のボタン画像は、通信端末装置５００の方向ボタン５４１Ａ，５４１Ｂ，５４１Ｃ，５４１Ｄの操作により変化する。具体的には、通信端末装置５００の方向ボタン５４１Ａ，５４１Ｂ，５４１Ｃ，５４１Ｄの操作があると、前述したステップＳ５１５の処理により、対応するリモコン信号が、映像表示装置６００へ送信される。映像表示装置６００の制御部６１０は、ＶＤＰ６３２を利用して、受信したリモコン信号に基づいて、選択枠ＳＲ３５０を、上，下，左，右のいずれかに移動させた状態の画像を生成する。この場合、制御部６１０が受信したリモコン信号は、映像表示装置６００を操作するための制御信号である。
【０３０８】
再び、図２６を参照して、ステップＳ６２１の処理の後、ステップＳ６２２に進む。
ステップＳ６２２では、メニュー操作プログラム生成処理が行なわれる。メニュー操作プログラム生成処理では、制御部６１０が、記憶部６３０に記憶された、図２３のメニューデータＤ３００の複数のジャンル情報を使用して、メニュー操作プログラムを生成する。メニュー操作プログラムは、通信端末装置５００において実行されることにより、以下の操作画像ＭＧ４００を表示部５３０に表示するプログラムである。その後、ステップＳ６２２の処理は終了する。
【０３０９】
なお、前述したように、メニューデータＤ３００に基づいて生成された画像を、上位階層メニュー画像ともいうので、操作画像ＭＧ４００は、上位階層メニュー画像である。
【０３１０】
図２９は、一例としての操作画像ＭＧ４００を示す図である。図２９を参照して、操作画像ＭＧ４００には、ボタン画像ＭＢＧ４１１，ＭＢＧ４１２，ＭＢＧ４１３，ＭＢＧ４１４，ＭＢＧ４１５，ＭＢＧ４１６，ＭＢＧ４１７，ＭＢＧ４１８，ＭＢＧ４１９，ＭＢＧ４２０，ＭＢＧ４２１，ＭＢＧ４２２が配置される。ボタン画像ＭＢＧ４１１，ＭＢＧ４１２，ＭＢＧ４１３，ＭＢＧ４１４，ＭＢＧ４１５，ＭＢＧ４１６，ＭＢＧ４１７，ＭＢＧ４１８，ＭＢＧ４１９，ＭＢＧ４２０，ＭＢＧ４２１，ＭＢＧ４２２の各々には、メニューデータＤ３００の複数のジャンル情報に基づいた、コンテンツのジャンルが表示される。
【０３１１】
ボタン画像ＭＢＧ４１１，ＭＢＧ４１２，ＭＢＧ４１３，ＭＢＧ４１４，ＭＢＧ４１５，ＭＢＧ４１６，ＭＢＧ４１７，ＭＢＧ４１８，ＭＢＧ４１９，ＭＢＧ４２０，ＭＢＧ４２１，ＭＢＧ４２２の各々は、対応するジャンルのサブメニューを、サービスサーバ８００Ａから取得するためのボタン画像である。
【０３１２】
メニュー操作プログラムには、ボタン画像ＭＢＧ４１１，ＭＢＧ４１２，ＭＢＧ４１３，ＭＢＧ４１４，ＭＢＧ４１５，ＭＢＧ４１６，ＭＢＧ４１７，ＭＢＧ４１８，ＭＢＧ４１９，ＭＢＧ４２０，ＭＢＧ４２１，ＭＢＧ４２２のデータと、操作画像ＭＧ４００内に、ボタン画像ＭＢＧ４１１，ＭＢＧ４１２，ＭＢＧ４１３，ＭＢＧ４１４，ＭＢＧ４１５，ＭＢＧ４１６，ＭＢＧ４１７，ＭＢＧ４１８，ＭＢＧ４１９，ＭＢＧ４２０，ＭＢＧ４２１，ＭＢＧ４２２をそれぞれ配置する複数の相対座標値の情報等が含まれる。
【０３１３】
また、メニュー操作プログラムには、ボタン画像ＭＢＧ４１１，ＭＢＧ４１２，ＭＢＧ４１３，ＭＢＧ４１４，ＭＢＧ４１５，ＭＢＧ４１６，ＭＢＧ４１７，ＭＢＧ４１８，ＭＢＧ４１９，ＭＢＧ４２０，ＭＢＧ４２１，ＭＢＧ４２２にそれぞれ対応する複数のリモコン信号の各々を生成するためのリモコンデータも含まれる。
【０３１４】
通信端末装置５００においてメニュー操作プログラムが実行されている場合に、ボタン画像ＭＢＧ４１１，ＭＢＧ４１２，ＭＢＧ４１３，ＭＢＧ４１４，ＭＢＧ４１５，ＭＢＧ４１６，ＭＢＧ４１７，ＭＢＧ４１８，ＭＢＧ４１９，ＭＢＧ４２０，ＭＢＧ４２１，ＭＢＧ４２２のいずれかが、インターフェース操作Ｍにより、押下操作されると、制御部５１０が、押下操作されたボタン画像に対応するリモコンデータを使用してリモコン信号を生成し、生成したリモコン信号を、映像表示装置６００へ送信する処理が行なわれる。
【０３１５】
ボタン画像ＭＢＧ４１１，ＭＢＧ４１２，ＭＢＧ４１３，ＭＢＧ４１４，ＭＢＧ４１５，ＭＢＧ４１６，ＭＢＧ４１７，ＭＢＧ４１８，ＭＢＧ４１９，ＭＢＧ４２０，ＭＢＧ４２１，ＭＢＧ４２２にそれぞれ対応する複数のリモコンデータは、それぞれ、メニューデータＤ３００における複数のジャンル情報のジャンルＩＤを含むリモコン信号を生成するためのデータである。たとえば、ボタン画像ＭＢＧ４１４に対応するリモコン信号は、メニューデータＤ３００における、番号“４”のジャンル情報の示すジャンルＩＤ“ＰＧ１２３７” を含むリモコンデータにより生成される。この場合、生成されるリモコン信号は、ジャンルＩＤ“ＰＧ１２３７” を含むリモコン信号となる。
【０３１６】
再び、図２６を参照して、ステップＳ６２２の処理の後、ステップＳ６２３に進む。
ステップＳ６２３では、制御部６１０が、生成したメニュー操作プログラムを、通信端末装置５００へ送信する。その後、ステップＳ６２３の処理は終了し、サブメニュー取得処理Ｔも終了する。
【０３１７】
通信端末装置５００では、まず、ステップＳ６１４の処理が行なわれる。
ステップＳ６１４では、制御部５１０が、メニュー操作プログラムを受信したか否かを判定する。ステップＳ６１４において、ＹＥＳならば、ステップＳ６１５に進む。一方、ステップＳ６１４において、ＮＯならば、再度、ステップＳ６１４の処理が行なわれる。ここでは、メニュー操作プログラムを受信したとして、ステップＳ６１５に進む。
【０３１８】
ステップＳ６１５では、操作画像表示処理Ｍが行なわれる。操作画像表示処理Ｍでは、制御部５１０が、受信したプログラムを実行する。ここで、受信したプログラムは、メニュー操作プログラムであるとする。制御部５１０は、メニュー操作プログラムを実行することにより、ＶＤＰ５３２を利用して、図２９の操作画像ＭＧ４００を生成し、表示部５３０に操作画像ＭＧ４００を表示させる。その後、ステップＳ６１５の処理は終了し、再度、ステップＳ６１４の処理が行なわれる。
【０３１９】
以上の処理により、映像表示装置６００の表示部６３０には、上位階層メニュー画像としてのメニュー画像Ｇ２００に対応する下位階層メニュー画像としてのサブメニュー画像Ｇ３００が表示される。また、通信端末装置５００の表示部５３０には、下位階層メニュー画像としてのサブメニュー画像Ｇ３００に対応する上位階層メニュー画像としての操作画像ＭＧ４００が表示される。
（メニューの切換え表示）
次に、映像表示装置６００の表示部６３０に下位階層メニュー画像としてのサブメニュー画像Ｇ３００が表示され、通信端末装置５００の表示部５３０に上位階層メニュー画像としての操作画像ＭＧ４００が表示されている場合の処理について説明する。
【０３２０】
ここで、通信端末装置５００において、サブメニュー取得操作Ｍがあった場合の処理について説明する。
【０３２１】
サブメニュー取得操作Ｍとは、上位階層メニュー画像としての操作画像ＭＧ４００に表示される、ボタン画像ＭＢＧ４１１，ＭＢＧ４１２，ＭＢＧ４１３，ＭＢＧ４１４，ＭＢＧ４１５，ＭＢＧ４１６，ＭＢＧ４１７，ＭＢＧ４１８，ＭＢＧ４１９，ＭＢＧ４２０，ＭＢＧ４２１，ＭＢＧ４２２のいずれかのボタン画像のタッチ操作である。ここでは、一例として、ボタン画像ＭＢＧ４１１に対するタッチ操作があったとする。この場合、図２５の操作判定処理ＭＡのステップＳ５１０において、ＹＥＳと判定され、ステップＳ５１１の処理が行なわれる。
【０３２２】
ステップＳ５１１では、前述したようにタッチ操作対応処理Ｍが行なわれる。この場合、タッチ操作対応処理Ｍでは、タッチ操作されたボタン画像に対応するジャンルのサブメニューを、映像表示装置６００がサービスサーバ８００Ａから取得するためのサブメニュー取得処理Ｍが行なわれる。
【０３２３】
図３０は、サブメニュー取得処理Ｍと、映像表示装置６００が行なう処理と、サービスサーバ８００Ａが行なう処理とのフローチャートを示す図である。なお、図３０の映像表示装置６００およびサービスサーバ８００Ａが行なう処理は、他の処理とは独立して行なわれる。
【０３２４】
図３０を参照して、通信端末装置５００が行なうサブメニュー取得処理Ｍでは、まず、ステップＳ７１０の処理が行なわれる。
【０３２５】
ステップＳ７１０では、サブメニュー取得要求送信処理が行なわれる。サブメニュー取得要求送信処理では、まず、制御部５１０が、タッチ操作されたボタン画像に対応するリモコンデータを使用して、サブメニュー取得リモコン信号を生成する。サブメニュー取得リモコン信号は、タッチ操作されたボタン画像に対応するジャンルのサブメニューを、映像表示装置６００がサービスサーバ８００Ａから取得するためのリモコン信号である。
【０３２６】
ここで、タッチ操作されたボタン画像が、ボタン画像ＭＢＧ４１１である場合、対応するリモコンデータは、図２３のメニューデータＤ３００における、番号“１”のジャンル情報の示すジャンルＩＤ“ＰＧ１２３４” を含むデータである。この場合、生成されるサブメニュー取得リモコン信号は、ジャンルＩＤ“ＰＧ１２３４” を含むリモコン信号となる。
【０３２７】
そして、制御部５１０は、サブメニュー取得要求として、生成したサブメニュー取得リモコン信号を、映像表示装置６００へ送信する。
【０３２８】
映像表示装置６００では、まず、ステップＳ７２０の処理が行なわれる。
ステップＳ７２０では、制御部６１０が、サブメニュー取得要求としてのサブメニュー取得リモコン信号を受信したか否かを判定する。ステップＳ７２０において、ＹＥＳならば、ステップＳ７２１に進む。一方、ステップＳ７２０において、ＮＯならば、再度、ステップＳ７２０の処理が行なわれる。ここでは、ジャンルＩＤ“ＰＧ１２３４” を含むサブメニュー取得リモコン信号を受信したとして、ステップＳ７２１に進む。
【０３２９】
ステップＳ７２１では、制御部６１０が、サブメニュー取得要求ＴＭをサービスサーバ８００Ａへ送信する。サブメニュー取得要求ＴＭは、通信端末装置５００において選択されたジャンルのサブメニューをサービスサーバ８００Ａから取得するための要求である。サブメニュー取得要求ＴＭには、サブメニュー取得リモコン信号に含まれる、ジャンルを特定するためのジャンルＩＤ“ＰＧ１２３４”が含まれる。ここで、通信端末装置５００において選択されたジャンルは、図２３のメニューデータＤ３００より、「映画」である。その後、ステップＳ７２１の処理は終了する。
【０３３０】
サービスサーバ８００Ａでは、まず、ステップＳ６４０の処理が行なわれる。
ステップＳ７４０では、サブメニュー取得要求ＴＭを受信したか否かを判定する。ステップＳ７４０において、ＹＥＳならば、ステップＳ７４１の処理が行なわれる。一方、ステップＳ７４０において、ＮＯならば、再度、ステップＳ７４０の処理が行なわれる。ここでは、ジャンルＩＤ“ＰＧ１２３４” を含むサブメニュー取得要求ＴＭを受信したとして、ステップＳ７４１に進む。
【０３３１】
ステップＳ７４１では、制御部８１０が、サブメニュー取得要求ＴＭを送信した装置に対し、サブメニュー取得要求ＴＭに含まれるジャンルＩＤに対応するサブメニューデータを送信する。サブメニューデータは、サービスサーバ８００Ａが配信可能なコンテンツの一覧メニューのデータである。サブメニュー取得要求ＴＭに含まれるジャンルＩＤは、“ＰＧ１２３４”であり、対応するジャンルは、「映画」である。したがって、送信されるサブメニューデータは、以下のサブメニューデータＤ３０４ＳＢとなる。その後、ステップＳ７４１の処理は終了し、再度、ステップＳ７４０の処理が行なわれる。
【０３３２】
図３１は、一例としてのサブメニューデータＤ３０４ＳＢを示す図である。図３１を参照して、サブメニューデータＤ３０４ＳＢは、図２７のサブメニューデータＤ３００ＳＢと同様に、複数のコンテンツ情報から構成されるので詳細な説明は繰り返さない。サブメニューデータＤ３０４ＳＢの示す複数のコンテンツ情報の各々において、示される複数のタイトルは、映画に関連するタイトルとなる。また、「番組ＩＤ」は、対応する映画のコンテンツを特定するためのＩＤとなる。
【０３３３】
再び、図３０を参照して、映像表示装置６００では、ステップＳ７２１の処理の後、ステップＳ７２２に進む。
【０３３４】
ステップＳ７２２では、サブメニュー表示処理Ｔが行なわれる。サブメニュー表示処理Ｔでは、制御部６１０が、サブメニューデータを受信する。ここで、受信されるサブメニューデータは、サブメニューデータＤ３０４ＳＢであるとする。制御部６１０は、サブメニューデータＤ３０４ＳＢを受信すると、記憶部６２０にサブメニューデータＤ３０４ＳＢを記憶させる。
【０３３５】
そして、制御部６１０が、サブメニューデータＤ３０４ＳＢに基づいて、ＶＤＰ６３２を利用して、以下のサブメニュー画像Ｇ３０４を生成し、生成したサブメニュー画像Ｇ３０４を表示部６３０に表示させる。この場合、サブメニュー画像Ｇ３０４は、下位階層メニュー画像である。その後、ステップＳ７２２の処理は終了し、再度、ステップＳ７２０の処理が行なわれる。
【０３３６】
図３２は、一例としてのサブメニュー画像Ｇ３０４を示す図である。図３２を参照して、サブメニュー画像Ｇ３０４は、図２８のサブメニュー画像Ｇ３００と比較して、ボタン画像ＢＧ３１１，ＢＧ３１２，ＢＧ３１３，ＢＧ３１４，ＢＧ３１５，ＢＧ３１６，ＢＧ３１７，ＢＧ３１８，ＢＧ３１９，ＢＧ３２０，ＢＧ３２１，ＢＧ３２２の代わりに、それぞれ、ボタン画像ＢＧ３１１Ａ，ＢＧ３１２Ａ，ＢＧ３１３Ａ，ＢＧ３１４Ａ，ＢＧ３１５Ａ，ＢＧ３１６Ａ，ＢＧ３１７Ａ，ＢＧ３１８Ａ，ＢＧ３１９Ａ，ＢＧ３２０Ａ，ＢＧ３２１Ａ，ＢＧ３２２Ａが配置されている点が異なる。それ以外は、サブメニュー画像Ｇ３００と同様なので詳細な説明は繰り返さない。
【０３３７】
また、ボタン画像ＢＧ３１１Ａ，ＢＧ３１２Ａ，ＢＧ３１３Ａ，ＢＧ３１４Ａ，ＢＧ３１５Ａ，ＢＧ３１６Ａ，ＢＧ３１７Ａ，ＢＧ３１８Ａ，ＢＧ３１９Ａ，ＢＧ３２０Ａ，ＢＧ３２１Ａ，ＢＧ３２２Ａは、ボタン画像ＢＧ３１１，ＢＧ３１２，ＢＧ３１３，ＢＧ３１４，ＢＧ３１５，ＢＧ３１６，ＢＧ３１７，ＢＧ３１８，ＢＧ３１９，ＢＧ３２０，ＢＧ３２１，ＢＧ３２２と比較して、映画関連のタイトルが表示される点が異なる。それ以外は、ボタン画像ＢＧ３１１，ＢＧ３１２，ＢＧ３１３，ＢＧ３１４，ＢＧ３１５，ＢＧ３１６，ＢＧ３１７，ＢＧ３１８，ＢＧ３１９，ＢＧ３２０，ＢＧ３２１，ＢＧ３２２と同様なので詳細な説明は繰り返さない。
【０３３８】
以上の処理により、通信端末装置５００の表示部５３０に表示されている上位階層メニュー画像としての操作画像ＭＧ４００を表示したまま、映像表示装置６００の表示部６３０に表示されている下位階層メニュー画像を、他のジャンルの下位階層メニュー画像に切換えることが可能となる。
（コンテンツ再生）
次に、映像表示装置６００の表示部６３０に下位階層メニュー画像としてのサブメニュー画像Ｇ３００が表示され、通信端末装置５００の表示部５３０に上位階層メニュー画像としての操作画像ＭＧ４００が表示されている場合に、コンテンツを再生させるための処理について説明する。
【０３３９】
ここで、通信端末装置５００において、コンテンツ取得操作Ｍがあった場合の処理について説明する。
【０３４０】
コンテンツ取得操作Ｍとは、映像表示装置６００がサービスサーバ８００Ａからコンテンツを受信するための操作である。具体的には、コンテンツ取得操作Ｍは、図２８のサブメニュー画像Ｇ３００に表示される、ボタン画像ＢＧ３１１，ＢＧ３１２，ＢＧ３１３，ＢＧ３１４，ＢＧ３１５，ＢＧ３１６，ＢＧ３１７，ＢＧ３１８，ＢＧ３１９，ＢＧ３２０，ＢＧ３２１，ＢＧ３２２のうち、ボタン画像が選択状態となっているときに、通信端末装置５００において決定ボタン５４１Ｅを押下処理する操作である。
【０３４１】
ここでは、一例として、ボタン画像ＢＧ３１５が選択状態であるときに、サブコンテンツ取得操作Ｍがあったとする。この場合、図２５の操作判定処理ＭＡのステップＳ５１４において、ＹＥＳと判定され、ステップＳ５１５の処理が行なわれる。
【０３４２】
ステップＳ５１５では、前述した処理が行なわれるので詳細な説明は繰り返さない。この処理により、制御部５１０が、決定ボタン５４１Ｅの名称である「決定ボタン」の情報を含んだ決定リモコン信号が、映像表示装置６００へ送信される。
【０３４３】
映像表示装置６００では、制御信号対応処理ＴＡのステップＳ５２０において、ＹＥＳと判定されステップＳ５２１の処理が行なわれる。
【０３４４】
ステップＳ５２１では、制御信号対応処理が行なわれる。ここで、制御部６１０は、ボタン画像ＢＧ３１５が選択状態であるときに、決定リモコン信号を受信することになる。この場合、制御信号対応処理では、制御部６１０が、選択状態であるボタン画像に対応するコンテンツを、サービスサーバ８００Ａから取得するためのコンテンツ取得処理Ｔを行なう。ここで、選択状態であるボタン画像は、ボタン画像ＢＧ３１５であるとする。
【０３４５】
図３３は、通信端末装置５００が行なう処理と、コンテンツ取得処理Ｔと、サービスサーバ８００Ａが行なう処理とのフローチャートを示す図である。なお、図３３の通信端末装置５００およびサービスサーバ８００Ａが行なう処理は、他の処理とは独立して行なわれる。
【０３４６】
図３３を参照して、映像表示装置６００が行なうコンテンツ取得処理Ｔでは、まず、ステップＳ８２０の処理が行なわれる。
【０３４７】
ステップＳ８２０では、制御部６１０が、コンテンツ取得要求Ｔをサービスサーバ８００Ａへ送信する。コンテンツ取得要求Ｔは、選択状態のボタン画像に対応するコンテンツをサービスサーバ８００Ａから取得するための要求である。
【０３４８】
コンテンツ取得要求Ｔには、選択状態のボタン画像に対応するコンテンツを特定するための番組ＩＤが含まれる。ここで、選択状態のボタン画像は、ボタン画像ＢＧ３１５であり、コンテンツのタイトルは「Ｆゴルフ」である。そのため、図２７のサブメニューデータＤ３００ＳＢより、コンテンツ取得要求Ｔに含まれる番組ＩＤは、“Ｐ１２３８”となる。その後、ステップＳ８２０の処理は終了する。以下においては、コンテンツ取得要求Ｔによりサービスサーバ８００Ａに対し要求されるコンテンツを取得要求コンテンツともいう。
【０３４９】
サービスサーバ８００Ａが行なう処理では、まず、ステップＳ８４０の処理が行なわれる。
【０３５０】
ステップＳ８４０では、制御部８１０が、コンテンツ取得要求Ｔを受信したか否かを判定する。ステップＳ８４０において、ＹＥＳならば、ステップＳ８４１の処理が行なわれる。一方、ステップＳ８４０において、ＮＯならば、再度、ステップＳ８４０の処理が行なわれる。ここでは、番組ＩＤ“Ｐ１２３８”を含むコンテンツ取得要求Ｔを受信したとして、ステップＳ８４１に進む。
【０３５１】
ステップＳ８４１では、コンテンツ配信処理が行なわれる。コンテンツ配信処理では、制御部８１０が、取得要求コンテンツを、コンテンツ取得要求Ｔを送信した映像表示装置６００へストリーミング配信する処理を開始する。ここで、取得要求コンテンツは、番組ＩＤ“Ｐ１２３８”より特定されるコンテンツである。なお、取得要求コンテンツは、放送電波として、映像表示装置６００へされてもよい。
【０３５２】
ここで、取得要求コンテンツは、ＭＰＥＧ２−ＴＳ（Transport Stream）形式で圧縮された動画像データであるとする。なお、動画像データの圧縮形式は、ＭＰＥＧ２−ＴＳ形式に限定されることなく、他の形式で圧縮されたデータであってもよい。ここで、他の形式とは、たとえば、ＭＰＥＧ２、Ｈ．２６４等の形式である。また、取得要求コンテンツは、タイトルが「Ｆゴルフ」の動画像データであるとする。なお、取得要求コンテンツは、ストリーミング配信ではなく、映像表示装置６００が、取得要求コンテンツをダウンロード可能なように送信されてもよい。
【０３５３】
取得要求コンテンツの配信が終了すると、ステップＳ８４１の処理は終了し、再度、ステップＳ８４０の処理が行なわれる。
【０３５４】
映像表示装置６００では、ステップＳ８２０の処理の後、ステップＳ８２１に進む。
ステップＳ８２１では、制御部６１０が、コンテンツ表示処理Ｔを実行する。コンテンツ表示処理Ｔは、他の処理とは独立して行なわれる処理である。その後、ステップＳ８２１の処理は終了する。
【０３５５】
コンテンツ表示処理Ｔでは、制御部６１０が、ＶＤＰ６３２を利用して、取得要求コンテンツをサービスサーバ８００Ａから受信しながら、取得要求コンテンツの再生（復号化）を行ない、取得要求コンテンツに基づく画像（以下、コンテンツ画像ともいう）を、表示部６３０に表示するストリーミング再生表示処理が行なわれる。この場合、表示部６３０には、以下のコンテンツ表示画像Ｇ４００が表示される。
【０３５６】
図３４は、一例としてのコンテンツ表示画像Ｇ４００を示す図である。図３４参照して、コンテンツ表示画像Ｇ４００には、取得要求コンテンツに基づくコンテンツ画像が表示される。また、コンテンツ表示画像Ｇ４００には、操作ガイダンス画像Ｇ４７０が配置される。操作ガイダンス画像Ｇ４７０には、映像表示装置６００を、通信端末装置５００により操作するための操作ガイダンス情報が表示される。
【０３５７】
操作ガイダンス画像Ｇ４７０に表示される操作ガイダンス情報は、図１５の操作ガイダンス表示画像Ｇ１００に配置される操作ガイダンス画像Ｇ１７０に示される操作ガイダンス情報と同様なので詳細な説明は繰り返さない。すなわち、操作ガイダンス画像Ｇ４７０に表示される操作ガイダンス情報は、一例として、表示部６３０において表示再生中のコンテンツに対し、巻き戻し処理、早送り処理、一時停止処理、停止処理、再生処理等を行なうことができることを示す。
【０３５８】
表示部６３０にコンテンツ表示画像Ｇ４００が表示されているときに、通信端末装置５００において、たとえば、方向ボタン５４１Ｄが押下処理されると、前述した図２５のステップＳ５１５，Ｓ５２１の処理により、再生中のコンテンツが、早送りされる。
【０３５９】
再び、図３３を参照して、ステップＳ８２１の処理の後，ステップＳ８２２に進む。
ステップＳ８２２では、メニュー操作プログラムＣ生成処理が行なわれる。メニュー操作プログラムＣ生成処理では、制御部６１０が、記憶部６３０に記憶された図２７のサブメニューデータＤ３００ＳＢの複数のコンテンツ情報を使用して、メニュー操作プログラムＣを生成する。メニュー操作プログラムＣは、通信端末装置５００において実行されることにより、以下の操作画像ＭＧ５００を表示部５３０に表示するプログラムである。その後、ステップＳ８２２の処理は終了する。
【０３６０】
前述したように、サブメニューデータＤ３００ＳＢに基づいて生成された画像を、下位階層メニュー画像ともいうので、操作画像ＭＧ５００は、下位階層メニュー画像である。
【０３６１】
図３５は、一例としての操作画像ＭＧ５００を示す図である。図３５を参照して、操作画像ＭＧ５００には、ボタン画像ＭＢＧ５１１，ＭＢＧ５１２，ＭＢＧ５１３，ＭＢＧ５１４，ＭＢＧ５１５，ＭＢＧ５１６，ＭＢＧ５１７，ＭＢＧ５１８，ＭＢＧ５１９，ＭＢＧ５２０，ＭＢＧ５２１，ＭＢＧ５２２が配置される。ボタン画像ＭＢＧ５１１，ＭＢＧ５１２，ＭＢＧ５１３，ＭＢＧ５１４，ＭＢＧ５１５，ＭＢＧ５１６，ＭＢＧ５１７，ＭＢＧ５１８，ＭＢＧ５１９，ＭＢＧ５２０，ＭＢＧ５２１，ＭＢＧ５２２の各々には、図２７のサブメニューデータＤ３００ＳＢの複数のコンテンツ情報に基づいた、コンテンツのタイトルが表示される。
【０３６２】
ボタン画像ＭＢＧ５１１，ＭＢＧ５１２，ＭＢＧ５１３，ＭＢＧ５１４，ＭＢＧ５１５，ＭＢＧ５１６，ＭＢＧ５１７，ＭＢＧ５１８，ＭＢＧ５１９，ＭＢＧ５２０，ＭＢＧ５２１，ＭＢＧ５２２の各々は、対応するコンテンツを、サービスサーバ８００Ａから取得するためのボタン画像である。
【０３６３】
メニュー操作プログラムＣには、ボタン画像ＭＢＧ５１１，ＭＢＧ５１２，ＭＢＧ５１３，ＭＢＧ５１４，ＭＢＧ５１５，ＭＢＧ５１６，ＭＢＧ５１７，ＭＢＧ５１８，ＭＢＧ５１９，ＭＢＧ５２０，ＭＢＧ５２１，ＭＢＧ５２２のデータと、操作画像ＭＧ５００内に、ボタン画像ＭＢＧ５１１，ＭＢＧ５１２，ＭＢＧ５１３，ＭＢＧ５１４，ＭＢＧ５１５，ＭＢＧ５１６，ＭＢＧ５１７，ＭＢＧ５１８，ＭＢＧ５１９，ＭＢＧ５２０，ＭＢＧ５２１，ＭＢＧ５２２をそれぞれ配置する複数の相対座標値の情報等が含まれる。
【０３６４】
また、メニュー操作プログラムＣには、ボタン画像ＭＢＧ５１１，ＭＢＧ５１２，ＭＢＧ５１３，ＭＢＧ５１４，ＭＢＧ５１５，ＭＢＧ５１６，ＭＢＧ５１７，ＭＢＧ５１８，ＭＢＧ５１９，ＭＢＧ５２０，ＭＢＧ５２１，ＭＢＧ５２２にそれぞれ対応する複数のリモコン信号の各々を生成するためのリモコンデータも含まれる。
【０３６５】
通信端末装置５００においてメニュー操作プログラムＣが実行されている場合に、ボタン画像ＭＢＧ５１１，ＭＢＧ５１２，ＭＢＧ５１３，ＭＢＧ５１４，ＭＢＧ５１５，ＭＢＧ５１６，ＭＢＧ５１７，ＭＢＧ５１８，ＭＢＧ５１９，ＭＢＧ５２０，ＭＢＧ５２１，ＭＢＧ５２２のいずれかが、インターフェース操作Ｍにより、押下操作されると、制御部５１０が、押下操作されたボタン画像に対応するリモコンデータを使用してリモコン信号を生成し、生成したリモコン信号を、映像表示装置６００へ送信する処理が行なわれる。
【０３６６】
ボタン画像ＭＢＧ５１１，ＭＢＧ５１２，ＭＢＧ５１３，ＭＢＧ５１４，ＭＢＧ５１５，ＭＢＧ５１６，ＭＢＧ５１７，ＭＢＧ５１８，ＭＢＧ５１９，ＭＢＧ５２０，ＭＢＧ５２１，ＭＢＧ５２２にそれぞれ対応する複数のリモコンデータは、それぞれ、図２７のサブメニューデータＤ３００ＳＢにおける複数のコンテンツ情報の番組ＩＤを含むリモコン信号を生成するためのデータである。たとえば、ボタン画像ＭＢＧ５１４に対応するリモコン信号は、サブメニューデータＤ３００ＳＢにおける、番号“４”のコンテンツ情報の示す番組ＩＤ“Ｐ１２３７” を含むリモコンデータにより生成される。この場合、生成されるリモコン信号は、番組ＩＤ“Ｐ１２３７” を含むリモコン信号となる。
【０３６７】
再び、図３３を参照して、ステップＳ８２２の処理の後、ステップＳ８２３に進む。
ステップＳ８２３では、制御部６１０が、生成したメニュー操作プログラムＣを、通信端末装置５００へ送信する。その後、ステップＳ８１３の処理は終了し、コンテンツ取得処理Ｔも終了する。
【０３６８】
通信端末装置５００では、まず、ステップＳ８１４の処理が行なわれる。
ステップＳ８１４では、制御部５１０が、メニュー操作プログラムＣを受信したか否かを判定する。ステップＳ８１４では、制御部５１０が、メニュー操作プログラムＣを受信したか否かを判定する。ステップＳ８１４において、ＹＥＳならば、ステップＳ８１５に進む。一方、ステップＳ８１４において、ＮＯならば、再度、ステップＳ８１４の処理が行なわれる。ここでは、メニュー操作プログラムＣを受信したとして、ステップＳ８１５に進む。
【０３６９】
ステップＳ８１５では、操作画像表示処理Ｍが行なわれる。操作画像表示処理Ｍでは、制御部５１０が、受信したプログラムを実行する。ここで、受信したプログラムは、メニュー操作プログラムＣであるとする。制御部５１０は、メニュー操作プログラムＣを実行することにより、ＶＤＰ５３２を利用して、図３５の操作画像ＭＧ５００を生成し、表示部５３０に操作画像ＭＧ５００を表示させる。その後、ステップＳ８１５の処理は終了し、再度、ステップＳ８１４の処理が行なわれる。
【０３７０】
以上の処理により、映像表示装置６００の表示部６３０でコンテンツが再生表示された状態において、通信端末装置５００の表示部５３０には、下位階層メニュー画像としての操作画像ＭＧ５００が表示される。
（再生コンテンツの変更）
次に、映像表示装置６００の表示部６３０においてコンテンツが再生表示され、通信端末装置５００の表示部５３０に、下位階層メニュー画像としての操作画像ＭＧ５００が表示されている場合に、再生表示されているコンテンツを変更するための処理について説明する。
【０３７１】
ここで、通信端末装置５００において、コンテンツ取得操作Ｍがあった場合の処理について説明する。
【０３７２】
コンテンツ取得操作Ｍとは、下位階層メニュー画像としての操作画像ＭＧ５００に表示される、ボタン画像ＭＢＧ５１１，ＭＢＧ５１２，ＭＢＧ５１３，ＭＢＧ５１４，ＭＢＧ５１５，ＭＢＧ５１６，ＭＢＧ５１７，ＭＢＧ５１８，ＭＢＧ５１９，ＭＢＧ５２０，ＭＢＧ５２１，ＭＢＧ５２２のいずれかのボタン画像のタッチ操作である。ここでは、一例として、ボタン画像ＭＢＧ５１１に対するタッチ操作があったとする。この場合、図２５の操作判定処理ＭＡのステップＳ５１０において、ＹＥＳと判定され、ステップＳ５１１の処理が行なわれる。
【０３７３】
ステップＳ５１１では、前述したようにタッチ操作対応処理Ｍが行なわれる。この場合、タッチ操作対応処理Ｍでは、タッチ操作されたボタン画像に対応するコンテンツを、映像表示装置６００がサービスサーバ８００Ａから取得するためのコンテンツ取得処理Ｍを行なう。
【０３７４】
図３６は、コンテンツ取得処理Ｍと、映像表示装置６００が行なう処理と、サービスサーバ８００Ａが行なう処理とのフローチャートを示す図である。なお、図３６の映像表示装置６００およびサービスサーバ８００Ａが行なう処理は、他の処理とは独立して行なわれる。
【０３７５】
図３６を参照して、通信端末装置５００が行なうコンテンツ取得処理Ｍでは、まず、ステップＳ９１０の処理が行なわれる。
【０３７６】
ステップＳ９１０では、コンテンツ取得要求送信処理が行なわれる。コンテンツ取得要求送信処理では、まず、制御部５１０が、タッチ操作されたボタン画像に対応するリモコンデータを使用して、コンテンツ取得リモコン信号を生成する。コンテンツ取得リモコン信号は、タッチ操作されたボタン画像に対応するコンテンツを、映像表示装置６００がサービスサーバ８００Ａから取得するためのリモコン信号である。
【０３７７】
ここで、タッチ操作されたボタン画像が、ボタン画像ＭＢＧ５１１である場合、対応するリモコンデータは、図２７のサブメニューデータＤ３００ＳＢにおける、番号“１”のジャンル情報の示す番組ＩＤ“Ｐ１２３４” を含むデータである。この場合、生成されるコンテンツ取得リモコン信号は、番組ＩＤ“Ｐ１２３４” を含むリモコン信号となる。また、タッチ操作されたボタン画像ＭＢＧ５１１に対応するコンテンツは、タイトルが「Ｂ野球」のコンテンツである。
【０３７８】
そして、制御部５１０は、コンテンツ取得要求として、生成したコンテンツ取得リモコン信号を、映像表示装置６００へ送信する。
【０３７９】
映像表示装置６００では、まず、ステップＳ９２０の処理が行なわれる。
ステップＳ９２０では、制御部６１０が、コンテンツ取得要求としてのコンテンツ取得リモコン信号を受信したか否かを判定する。ステップＳ９２０において、ＹＥＳならば、ステップＳ９２１に進む。一方、ステップＳ９２０において、ＮＯならば、再度、ステップＳ９２０の処理が行なわれる。ここでは、番組ＩＤ“Ｐ１２３４”を含むコンテンツ取得リモコン信号を受信したとして、ステップＳ９２１に進む。
【０３８０】
ステップＳ９２１では、制御部６１０が、コンテンツ取得要求ＴＭをサービスサーバ８００Ａへ送信する。コンテンツ取得要求ＴＭは、通信端末装置５００において選択されたコンテンツをサービスサーバ８００Ａから取得するための要求である。コンテンツ取得要求ＴＭには、コンテンツ取得リモコン信号に含まれる、コンテンツを特定するための番組ＩＤ“Ｐ１２３４”が含まれる。ここで、通信端末装置５００において選択されたコンテンツは、図２７のサブメニューデータＤ３００ＳＢより、タイトルが「Ｂ野球」のコンテンツである。その後、ステップＳ９２１の処理は終了する。以下においては、コンテンツ取得要求ＴＭによりサービスサーバ８００Ａに対し要求されるコンテンツを取得要求コンテンツともいう。
【０３８１】
サービスサーバ８００Ａが行なう処理では、まず、ステップＳ９４０の処理が行なわれる。
【０３８２】
ステップＳ９４０では、制御部８１０が、コンテンツ取得要求ＴＭを受信したか否かを判定する。ステップＳ９４０において、ＹＥＳならば、ステップＳ９４１の処理が行なわれる。一方、ステップＳ９４０において、ＮＯならば、再度，ステップＳ９４０の処理が行なわれる。ここでは、番組ＩＤ“Ｐ１２３４”を含むコンテンツ取得要求ＴＭを受信したとして、ステップＳ９４１に進む。
【０３８３】
ステップＳ９４１では、図３３のステップＳ８４１と同様にコンテンツ配信処理が行なわれる。コンテンツ配信処理では、制御部８１０が、取得要求コンテンツを、コンテンツ取得要求ＴＭを送信した映像表示装置６００へストリーミング配信する処理を開始する。ここで、取得要求コンテンツは、番組ＩＤ“Ｐ１２３４”より特定されるコンテンツである。なお、取得要求コンテンツは、放送電波として、映像表示装置６００へされてもよい。取得要求コンテンツは、タイトルが「Ｂ野球」の動画像データであるとする。
【０３８４】
取得要求コンテンツの配信が終了すると、ステップＳ９４１の処理は終了し、再度、ステップＳ９４０の処理が行なわれる。
【０３８５】
映像表示装置６００では、ステップＳ９２１の処理の後、ステップＳ９２２に進む。
ステップＳ９２２では、制御部６１０が、コンテンツ表示処理Ｔを実行する。コンテンツ表示処理Ｔは、他の処理とは独立して行なわれる処理である。その後、ステップＳ９２２の処理は終了し、再度、ステップＳ９２０の処理が行なわれる。
【０３８６】
コンテンツ表示処理Ｔは、図３３のステップＳ８２１のコンテンツ表示処理Ｔと同様なので詳細な説明は繰り返さない。この処理により、タイトルが「Ｂ野球」の取得要求コンテンツに基づくコンテンツ画像が、表示部６３０に再生表示される。
【０３８７】
以上の処理により、映像表示装置６００の表示部６３０でコンテンツが再生表示された状態においても、通信端末装置５００の表示部５３０には、下位階層メニュー画像としての操作画像ＭＧ５００が表示されているため、映像表示装置６００の表示部６３０に表示されているコンテンツを容易に変更することができるという効果を奏する。
【０３８８】
以上説明したように本実施の形態においては、上位階層メニュー画像および上位階層メニュー画像に関連する下位階層メニュー画像を、それぞれ、通信端末装置５００および映像表示装置６００において表示する処理を行なう。すなわち、複数の階層にそれぞれ対応する複数のメニューを、それぞれ、複数の装置で表示させる。そして、上位階層メニュー画像に対する操作および下位階層メニュー画像に対する操作を、通信端末装置５００の異なる複数の操作部（表示部５３０および外部ボタン）でそれぞれ行なう。
【０３８９】
また、コンテンツの再生表示およびコンテンツのメニュー表示を、それぞれ、映像表示装置６００および通信端末装置５００において行なう。そして、再生表示されているコンテンツの再生制御および再生表示されているコンテンツの変更操作を、それぞれ、通信端末装置５００の異なる複数の操作部（外部ボタンおよび表示部５３０）でそれぞれ行なう。
【０３９０】
したがって、迅速に所望の情報（コンテンツ）の選択を実現できるという効果を奏する。その結果、迅速に所望の情報（コンテンツ）を表示できるという効果を奏する。
（機能ブロック図）
図３７は、本実施の形態における制御部５１０および制御部６１０の機能ブロック図である。図３７を参照して、制御部５１０は、第１送信部５１５と、第２受信部５１７とを含む。制御部６１０は、第１受信部６１５と、表示制御部６１６と、第２送信部６１７とを含む。
【０３９１】
第１送信部５１５は、外部からの指示入力に応じて、複数種類の第１情報のいずれかを選択するための選択信号を映像表示装置６００へ送信する。
【０３９２】
第１受信部６１５は、第１送信部５１５により送信された選択信号を受信する。表示制御部６１６は、受信した選択信号により選択された第１情報に対応する、複数種類の第２情報のいずれかを選択するための第２メニューを、第１メニューに代えて表示部６３０に表示させる。第２送信部６１７は、第１メニューを、通信端末装置５００へ送信する。
【０３９３】
第２受信部５１７は、第２送信部６１７により送信された第１メニューを受信する。
なお、制御部５１０に含まれる、第１送信部５１５および第２受信部５１７の全てまたは一部は、ハードウエアで構成されてもよい。また、制御部６１０に含まれる、第１受信部６１５、表示制御部６１６および第２送信部６１７の全てまたは一部は、ハードウエアで構成されてもよい。
【０３９４】
図３８は、本実施の形態における制御部５１０の機能ブロック図の他の例である。図３８を参照して、制御部５１０は、第１入力受付部５１１Ａと、第２入力受付部５１２Ａと、送信部５１３Ａとを含む。
【０３９５】
第１入力受付部５１１Ａは、外部からの指示入力を受付ける。第２入力受付部５１２Ａは、外部からの指示入力を受付ける。
【０３９６】
送信部５１３Ａは、映像表示装置６００の表示部６３０に、複数種類の第１情報のいずれかを選択するための第１メニューが表示されている場合、第１入力受付部５１１Ａが受付けた指示入力に応じて、複数種類の第１情報のいずれかを選択するための選択信号を映像表示装置６００へ送信する第１処理を行なう。また、送信部５１３Ａは、選択信号により選択された第１情報に対応する、複数種類の第２情報のいずれかを選択するための第２メニューが映像表示装置６００の表示部６３０に表示され、かつ、表示部５３０に第１メニューが表示されている場合、第２入力受付部５１２Ａが受付けた指示入力に応じて、複数種類の第１情報のいずれかを選択するための選択信号を映像表示装置６００へ送信する第２処理を行なう。
【０３９７】
なお、制御部５１０に含まれる、第１入力受付部５１１Ａ、第２入力受付部５１２Ａおよび送信部５１３Ａの全てまたは一部は、ハードウエアで構成されてもよい。
（発明の展開）
本実施の形態では、上位階層メニュー画像および下位階層メニュー画像を、それぞれ、通信端末装置５００および映像表示装置６００において表示する処理について説明した。しかしながら、本発明は、上位階層メニュー画像および下位階層メニュー画像を、それぞれ、映像表示装置６００および通信端末装置５００において表示しても実施可能である。
【０３９８】
また、本実施の形態では、コンテンツの再生表示およびコンテンツのメニュー表示を、それぞれ、映像表示装置６００および通信端末装置５００において行なう処理について説明した。しかしながら、本発明は、コンテンツの再生表示およびコンテンツのメニュー表示を、それぞれ、通信端末装置５００および映像表示装置６００において行なっても実施可能である。
【０３９９】
また、本実施の形態では、再生表示されているコンテンツの再生制御および再生表示されているコンテンツの変更操作を、それぞれ、通信端末装置５００の外部ボタンおよび表示部５３０で行なう処理について説明した。しかしながら、本発明は、再生表示されているコンテンツの再生制御および再生表示されているコンテンツの変更操作を、それぞれ、通信端末装置５００の表示部５３０および外部ボタンで行なっても実施可能である。
【０４００】
また、本実施の形態では、複数の階層にそれぞれ対応する複数のメニューが、それぞれ、ジャンルのメニューおよびコンテンツのメニューである場合について説明した。しかしながら、複数の階層にそれぞれ対応する複数のメニューは、上記メニューに限定されることはない。複数の階層にそれぞれ対応する複数のメニューは、たとえば、ハイパーリンク文字列等により、互いにリンクされている複数のＷＥＢページであってもよい。
【０４０１】
この場合、映像表示装置６００では、たとえば、ＷＥＢサイトのトップページを表示し、通信端末装置５００では、当該トップページからリンクされている下位層のＷＥＢページを表示するといった使用形態が考えられる。また、映像表示装置６００では、たとえば、あるサイトのＷＥＢページを表示し、通信端末装置５００では、当該サイトのＷＥＢページからリンクされている別のサイトのＷＥＢページを表示するといった使用形態が考えられる。
【０４０２】
また、逆に、映像表示装置６００でＷＥＢサイトのトップページを表示し、映像表示装置６００で当該トップページのリンク先を表示した際に、通信端末装置５００に当該トップページを表示するといった使用形態が考えられる。この場合、トップページの別のリンク先を映像表示装置６００に表示したい場合に、映像表示装置６００の表示を戻すことなく、簡単に通信端末装置５００で選択しなおすといったことも可能となる。
【０４０３】
さらに、映像表示装置６００でＥＣ（Electronic Commerce）サイトの商品を閲覧して、購入作業を手元の通信端末装置５００で操作、処理するといった使用形態も考えられる。
【０４０４】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【図面の簡単な説明】
【０４０５】
【図１】本実施の形態におけるネットワークシステムの構成を示す図である。
【図２】通信端末装置の外観を正面から示した図である。
【図３】通信端末装置の外観を左側面から示した図である。
【図４】通信端末装置の外観を背面から示した図である。
【図５】通信端末装置の内部構成を示したブロック図である。
【図６】映像表示装置の外観を正面から示した図である。
【図７】映像表示装置の内部構成を示したブロック図である。
【図８】サービスサーバの内部構成を示したブロック図である。
【図９】一例としてのリモコン画像を示す図である。
【図１０】コンテンツ取扱い処理のフローチャートである。
【図１１】一例としての装置特定データを示す図である。
【図１２】一例としての装置認識画像を示す図である。
【図１３】一例としてのプログラム選択データを示す図である。
【図１４】一例としての操作画像を示す図である。
【図１５】一例としての操作ガイダンス表示画像を示す図である。
【図１６】操作判定処理Ｍおよび制御信号対応処理Ｔのフローチャートである。
【図１７】待機モード移行時処理のフローチャートである。
【図１８】一例としての表示継続確認画像を示す図である。
【図１９】一例としての装置認識画像を示す図である。
【図２０】本実施の形態における制御部の機能ブロック図である。
【図２１】本実施の形態における制御部の機能ブロック図である。
【図２２】メニュー表示処理のフローチャートである。
【図２３】一例としてのメニューデータを示す図である。
【図２４】一例としてのメニュー画像を示す図である。
【図２５】操作判定処理ＭＡおよび制御信号対応処理ＴＡのフローチャートである。
【図２６】通信端末装置が行なう処理と、サブメニュー取得処理Ｔと、サービスサーバが行なう処理とのフローチャートを示す図である。
【図２７】一例としてのサブメニューデータを示す図である。
【図２８】一例としてのサブメニュー画像を示す図である。
【図２９】一例としての操作画像を示す図である。
【図３０】サブメニュー取得処理Ｍと、映像表示装置が行なう処理と、サービスサーバが行なう処理とのフローチャートを示す図である。
【図３１】一例としてのサブメニューデータを示す図である。
【図３２】一例としてのサブメニュー画像を示す図である。
【図３３】通信端末装置が行なう処理と、コンテンツ取得処理Ｔと、サービスサーバが行なう処理とのフローチャートを示す図である。
【図３４】一例としてのコンテンツ表示画像を示す図である。
【図３５】一例としての操作画像を示す図である。
【図３６】コンテンツ取得処理Ｍと、映像表示装置が行なう処理と、サービスサーバが行なう処理とのフローチャートを示す図である。
【図３７】本実施の形態における２つの異なる制御部の機能ブロック図である。
【図３８】本実施の形態における制御部の機能ブロック図の他の例である。
【符号の説明】
【０４０６】
５０  通信部、７０  ネットワーク、１８０，１８０Ａ，１８０Ｂ  プログラム、３００  リモコン、５００  通信端末装置、５１０，６１０，８１０  制御部、５２０，６２０，８２０  記憶部、５３０，６３０  表示部、５４０  入力部、５５５，５５５Ａ  記録媒体、６００  映像表示装置、８００Ａ  サービスサーバ、８００Ｓ  検索サーバ、８００Ｗ  Ｗｅｂサーバ、１０００  ネットワークシステム。
【図１】
2008072468.tif 000003
【図２】
2008072468.tif 000004
【図３】
2008072468.tif 000005
【図４】
2008072468.tif 000006
【図５】
2008072468.tif 000007
【図６】
2008072468.tif 000008
【図７】
2008072468.tif 000009
【図８】
2008072468.tif 000010
【図９】
2008072468.tif 000011
【図１０】
2008072468.tif 000012
【図１１】
2008072468.tif 000013
【図１２】
2008072468.tif 000014
【図１３】
2008072468.tif 000015
【図１４】
2008072468.tif 000016
【図１５】
2008072468.tif 000017
【図１６】
2008072468.tif 000018
【図１７】
2008072468.tif 000019
【図１８】
2008072468.tif 000020
【図１９】
2008072468.tif 000021
【図２０】
2008072468.tif 000022
【図２１】
2008072468.tif 000023
【図２２】
2008072468.tif 000024
【図２３】
2008072468.tif 000025
【図２４】
2008072468.tif 000026
【図２５】
2008072468.tif 000027
【図２６】
2008072468.tif 000028
【図２７】
2008072468.tif 000029
【図２８】
2008072468.tif 000030
【図２９】
2008072468.tif 000031
【図３０】
2008072468.tif 000032
【図３１】
2008072468.tif 000033
【図３２】
2008072468.tif 000034
【図３３】
2008072468.tif 000035
【図３４】
2008072468.tif 000036
【図３５】
2008072468.tif 000037
【図３６】
2008072468.tif 000038
【図３７】
2008072468.tif 000039
【図３８】
2008072468.tif 000040